(57)【要約】本発明は、アイドル状態のユーザ機器の位置を見つけるための方法および装置を提供する。アクセスネットワークデバイスは、システムメッセージ内のセルロケーション識別子をプリセットロケーション識別子に更新し、ページングメッセージを用いて、セル内のアイドル状態のＵＥにシステムメッセージが変更されることを通知して、システムメッセージを読み出してセルロケーション識別子が更新されることを知るためにアイドル状態のＵＥをトリガーするようにする。したがって、アイドル状態のＵＥは、ロケーション更新処理を開始するためにトリガーされる。アクセスネットワークデバイスは、セル内のアイドル状態のＵＥによって開始されるロケーション更新処理に応じてセル内のアイドル状態のＵＥの位置を見つけ、それによりアイドル状態のＵＥの位置を見つける。
2019508970.tif 000002
【特許請求の範囲】
【請求項１】
アイドル状態のユーザ機器の位置を見つけるための方法であって、
アクセスネットワークデバイスによって、ページングメッセージをセル内のユーザ機器ＵＥに送信するステップであって、前記ページングメッセージは読み出し命令情報を含み、前記読み出し命令情報は、前記セル内の前記ＵＥにシステムメッセージを読み出すように指示するために使用される、ステップと、
前記アクセスネットワークデバイスによって、前記システムメッセージを前記セル内の前記ＵＥに送信するステップであって、前記システムメッセージ内のセルロケーション識別子はプリセットロケーション識別子であり、前記プリセットロケーション識別子は、ロケーション更新処理を実行するために前記セル内の前記ＵＥをトリガーするために使用される、ステップと、
前記アクセスネットワークデバイスによって、前記セル内の前記アイドル状態のＵＥによって開始されるロケーション更新処理に応じて、前記セル内のアイドル状態のＵＥの位置を見つけるステップと
を含む方法。
【請求項２】
前記システムメッセージはさらに、システムメッセージ変更識別子を含み、前記システムメッセージ変更識別子は、前記システムメッセージ内の前記セルロケーション識別子が更新されることを確認するために使用される、請求項１に記載の方法。
【請求項３】
前記アクセスネットワークデバイスによって前記システムメッセージを送信するステップの前に、前記方法はさらに、
前記アクセスネットワークデバイスによって、前記システムメッセージ内の前記セルロケーション識別子を前記プリセットロケーション識別子に更新するステップを含む、請求項１に記載の方法。
【請求項４】
前記アクセスネットワークデバイスによって前記システムメッセージを送信するステップの前に、前記方法はさらに、
前記アクセスネットワークデバイスによって、前記システムメッセージ内の前記セルロケーション識別子を前記プリセットロケーション識別子に更新し、前記システムメッセージ内の前記システムメッセージ変更識別子を更新するステップを含む、請求項２に記載の方法。
【請求項５】
前記プリセットロケーション識別子は、システムにおいて予約されるロケーション識別子である、請求項１に記載の方法。
【請求項６】
前記アクセスネットワークデバイスによって、前記セル内の前記アイドル状態のＵＥによって開始されるロケーション更新処理に応じて、前記セル内のアイドル状態のＵＥの位置を見つけるステップは、
前記アクセスネットワークデバイスによって、前記アイドル状態のＵＥによって開始される前記ロケーション更新処理に応じて、前記アイドル状態のＵＥが更新することを要求するセルロケーション識別子が前記プリセットロケーション識別子か否かを判定するステップと、
前記アイドル状態のＵＥが更新することを要求する前記セルロケーション識別子が前記プリセットロケーション識別子であると判定する場合、前記アクセスネットワークデバイスによって、前記アイドル状態のＵＥの一時的モバイル加入者アイデンティティを取得するステップとを含む、請求項１ないし５のいずれか１項に記載の方法。
【請求項７】
前記アクセスネットワークデバイスによって、前記アイドル状態のＵＥの一時的モバイル加入者アイデンティティを取得するステップの後にさらに、
前記アクセスネットワークデバイスによって、前記アイドル状態のＵＥのロケーション更新動作を拒否するステップを含む、請求項６に記載の方法。
【請求項８】
前記読み出し命令情報は、ブロードキャスト制御チャネルＢＣＣＨ修正情報である、請求項１ないし７のいずれか１項に記載の方法。
【請求項９】
前記システムメッセージ変更識別子は、システム情報ブロックＳＩＢ１内のシステム情報値タグである、請求項２または４に記載の方法。
【請求項１０】
アイドル状態のユーザ機器の位置を見つけるための方法であって、
前記アイドル状態のユーザ機器ＵＥによって、アクセスネットワークデバイスからページングメッセージを受信するステップであって、前記ページングメッセージは読み出し命令情報を含み、前記読み出し命令情報は、セル内のＵＥにシステムメッセージを読み出すように指示するために使用される、ステップと、
前記アイドル状態のＵＥによって、前記読み出し命令情報に応じて前記システムメッセージを受信し、前記システムメッセージ内のセルロケーション識別子を読み出すステップであって、前記システムメッセージ内の前記セルロケーション識別子はプリセットロケーション識別子である、ステップと、
前記アイドル状態のＵＥによって、前記プリセットロケーション識別子に応じてロケーション更新処理を開始するステップと
を含む方法。
【請求項１１】
前記システムメッセージはさらに、システムメッセージ変更識別子を含み、前記システムメッセージ変更識別子は、前記システムメッセージ内の前記セルロケーション識別子が更新されることを確認するために使用される、請求項１０に記載の方法。
【請求項１２】
前記プリセットロケーション識別子は、システムにおいて予約されるロケーション識別子である、請求項１０または１１に記載の方法。
【請求項１３】
前記読み出し命令情報は、ブロードキャスト制御チャネルＢＣＣＨ修正情報である、請求項１０または１１に記載の方法。
【請求項１４】
前記システムメッセージ変更識別子は、システム情報ブロックＳＩＢ１内のシステム情報値タグである、請求項１１に記載の方法。
【請求項１５】
ページングメッセージをセル内のユーザ機器ＵＥに送信するように構成される送信モジュールであって、前記ページングメッセージは読み出し命令情報を含み、前記読み出し命令情報は、前記セル内の前記ＵＥにシステムメッセージを読み出すように指示するために使用される、送信モジュールと、
前記送信モジュールはさらに、前記システムメッセージを前記セル内の前記ＵＥに送信するように構成され、前記システムメッセージ内のセルロケーション識別子はプリセットロケーション識別子であり、前記プリセットロケーション識別子は、ロケーション更新処理を実行するために前記セル内の前記ＵＥをトリガーするために使用され、
前記セル内のアイドル状態のＵＥによって開始されるロケーション更新処理に応じて、前記セル内のアイドル状態のＵＥの位置を見つけるように構成される位置特定モジュールと
を備えるアクセスネットワークデバイス。
【請求項１６】
前記システムメッセージはさらに、システムメッセージ変更識別子を含み、前記システムメッセージ変更識別子は、前記システムメッセージ内の前記セルロケーション識別子が更新されることを確認するために使用される、請求項１５に記載のアクセスネットワークデバイス。
【請求項１７】
前記システムメッセージ内の前記セルロケーション識別子を前記プリセットロケーション識別子に更新するように構成される更新モジュールをさらに含む、請求項１５に記載のアクセスネットワークデバイス。
【請求項１８】
前記システムメッセージ内の前記セルロケーション識別子を前記プリセットロケーション識別子に更新し、前記システムメッセージ内の前記システムメッセージ変更識別子を更新するように構成される更新モジュールをさらに含む、請求項１６に記載のアクセスネットワークデバイス。
【請求項１９】
前記プリセットロケーション識別子は、システムにおいて予約されるロケーション識別子である、請求項１５に記載のアクセスネットワークデバイス。
【請求項２０】
前記位置特定モジュールは特に、
前記アイドル状態のＵＥによって開始される前記ロケーション更新処理に応じて、前記アイドル状態のＵＥが更新することを要求するセルロケーション識別子が前記プリセットロケーション識別子か否かを判定し、
前記アイドル状態のＵＥが更新することを要求する前記セルロケーション識別子が前記プリセットロケーション識別子であると判定する場合、前記アイドル状態のＵＥの一時的モバイル加入者アイデンティティを取得するように構成される、請求項１５ないし１９のいずれか１項に記載のアクセスネットワークデバイス。
【請求項２１】
前記アイドル状態のＵＥのロケーション更新動作を拒否するように構成されるロケーション更新モジュールをさらに含む、請求項２０に記載のアクセスネットワークデバイス。
【請求項２２】
前記読み出し命令情報は、ブロードキャスト制御チャネルＢＣＣＨ修正情報である、請求項１５ないし２１のいずれか１項に記載のアクセスネットワークデバイス。
【請求項２３】
前記システムメッセージ変更識別子は、システム情報ブロックＳＩＢ１内のシステム情報値タグである、請求項１６または１８に記載のアクセスネットワークデバイス。
【請求項２４】
アクセスネットワークデバイスからページングメッセージを受信するように構成される受信モジュールであって、前記ページングメッセージは読み出し命令情報を含み、前記読み出し命令情報は、セル内のＵＥにシステムメッセージを読み出すように指示するために使用される、受信モジュールと、
前記受信モジュールはさらに、前記読み出し命令情報に応じて前記システムメッセージを受信するように構成され、
前記システムメッセージ内のセルロケーション識別子を読み出し、前記システムメッセージ内の前記セルロケーション識別子はプリセットロケーション識別子であり、前記プリセットロケーション識別子に応じてロケーション更新処理を開始するように構成されるロケーション更新モジュールと
を備えるユーザ機器。
【請求項２５】
前記システムメッセージはさらに、システムメッセージ変更識別子を含み、前記システムメッセージ変更識別子は、前記システムメッセージ内の前記セルロケーション識別子が更新されることを確認するために使用される、請求項２４に記載のＵＥ。
【請求項２６】
前記プリセットロケーション識別子は、システムにおいて予約されるロケーション識別子である、請求項２４または２５に記載のＵＥ。
【請求項２７】
前記読み出し命令情報は、ブロードキャスト制御チャネルＢＣＣＨ修正情報である、請求項２４または２５に記載のＵＥ。
【請求項２８】
前記システムメッセージ変更識別子は、システム情報ブロックＳＩＢ１内のシステム情報値タグである、請求項２４に記載のＵＥ。
【発明の詳細な説明】
【技術分野】
【０００１】
本発明の実施形態は、通信技術に関し、特に、アイドル状態のユーザ機器（Ｕｓｅｒ  ｅｑｕｉｐｍｅｎｔ、略してＵＥ）および装置の位置を見つけるための方法および装置に関する。
【背景技術】
【０００２】
ロングタームエボリューション（Ｌｏｎｇ  Ｔｅｒｍ  Ｅｖｏｌｕｔｉｏｎ、略してＬＴＥ）システムにおいて、ＵＥの無線リソース制御（Ｒａｄｉｏ  Ｒｅｓｏｕｒｃｅ  Ｃｏｎｔｒｏｌ、略してＲＲＣ）状態は、アイドル状態（ｉｄｌｅ  ｓｔａｔｅ）および接続状態（ｃｏｎｎｅｃｔｅｄ  ｓｔａｔｅ）を含む。ＵＥが接続状態の場合、ＵＥは、ネットワーク側とアップリンクおよびダウンリンクデータ送信を行う。ＵＥがアイドル状態の場合、ＵＥとネットワーク側との間ではデータ交換がない。アイドル状態のＵＥとネットワーク側との間でデータ交換がないため、ネットワーク側は、アイドル状態のＵＥの存在を検知できない。多数の既存のシナリオにおいて、アイドル状態のＵＥの存在は検知される必要がある。例えば、クラウド統計収集または熱力学線図などのアプリケーションにおいて、アイドル状態のＵＥを検知する失敗により、不完全なユーザ統計収集という結果となり、アプリケーション値は大幅に減少される。
【発明の概要】
【０００３】
本発明の実施形態は、アイドル状態のユーザ機器の位置を見つけるための方法および装置を提供し、アイドル状態のＵＥの位置を見つけるようにする。
【０００４】
本発明の第１の態様は、アイドル状態のユーザ機器の位置を見つけるための方法を提供する。方法は、アクセスネットワークデバイスが、ページングメッセージをセル内のユーザ機器ＵＥに送信することを含む。ページングメッセージは読み出し命令情報を含み、読み出し命令情報は、セル内のＵＥにシステムメッセージを読み出すように指示するために使用される。次にアクセスネットワークデバイスは、システムメッセージをセル内のＵＥに送信する。システムメッセージ内のセルロケーション識別子はプリセットロケーション識別子であり、プリセットロケーション識別子は、ロケーション更新処理を実行するためにセル内のＵＥをトリガーするために使用される。セル内のアイドル状態のＵＥは、プリセットロケーション識別子に応じてロケーション更新処理を開始する。アクセスネットワークデバイスは、セル内のアイドル状態のＵＥによって開始されるロケーション更新処理に応じて、セル内のアイドル状態のＵＥの位置を見つける。方法において、アクセスネットワークデバイスは、システムメッセージ内のセルロケーション識別子をプリセットロケーション識別子に更新し、ロケーション更新処理を開始するためにアイドル状態のＵＥをトリガーするようにする。アクセスネットワークデバイスは、アイドル状態のＵＥによって開始されるロケーション更新処理を用いて、アイドル状態のＵＥを検知することができ、それによりアイドル状態のＵＥの位置を見つける。
【０００５】
本発明の第１の態様の可能な実装において、アクセスネットワークデバイスが、セル内のアイドル状態のＵＥによって開始されるロケーション更新処理に応じて、セル内のアイドル状態のＵＥの位置を見つけることは特に、アクセスネットワークデバイスが、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定するときに、アクセスネットワークデバイスは、アイドル状態のＵＥの一時的モバイル加入者アイデンティティを取得し、アイドル状態のＵＥがセル内に位置すると判定するようにする。
【０００６】
任意選択で、アイドル状態のＵＥの一時的モバイル加入者アイデンティティを取得した後に、アクセスネットワークデバイスは、アイドル状態のＵＥのロケーション更新動作を拒否してもよいし、またはアイドル状態のＵＥのロケーション更新動作を実行し続けるようにしてもよい。プリセットロケーション識別子は、ロケーション更新動作を使用することによりアイドル状態のＵＥのトラッキングエリアリストに追加される。
【０００７】
任意選択で、システムメッセージを送信する前に、アクセスネットワークデバイスは、システムメッセージ内のセルロケーション識別子をプリセットロケーション識別子に更新する。任意選択で、プリセットロケーション識別子は、システムにおいて予約されるロケーション識別子である。
【０００８】
任意選択で、システムメッセージはさらに、システムメッセージ変更識別子を含む。システムメッセージ変更識別子は、システムメッセージ内のセルロケーション識別子が更新されることを確認するために使用される。それに相応して、システムメッセージを送信する前に、アクセスネットワークデバイスはさらに、システムメッセージ内のシステムメッセージ変更識別子を更新してもよい。任意選択で、システムメッセージ変更識別子は、ＳＩＢ１内のシステム情報値タグである。
【０００９】
任意選択で、読み出し命令情報は、ＢＣＣＨ修正情報である。
【００１０】
本発明の第２の態様は、アイドル状態のユーザ機器の位置を見つけるための方法を提供する。方法は、アイドル状態のＵＥがアクセスネットワークデバイスからページングメッセージを受信することを含む。ページングメッセージは読み出し命令情報を含み、読み出し命令情報は、セル内のＵＥにシステムメッセージを読み出すように指示するために使用される。アイドル状態のＵＥは、読み出し命令情報に応じてシステムメッセージを受信し、システムメッセージ内のセルロケーション識別子を読み出す。システムメッセージ内のセルロケーション識別子はプリセットロケーション識別子である。アイドル状態のＵＥは、プリセットロケーション識別子に応じてロケーション更新処理を開始し、その結果アクセスネットワークデバイスは、アイドル状態のＵＥにより開始されたロケーション更新処理に応じてアイドル状態のＵＥの位置を見つける。
【００１１】
本発明の第３の態様は、アクセスネットワークデバイスを提供する。アクセスネットワークデバイスは、送信モジュールおよび位置特定モジュールを含む。送信モジュールは、ページングメッセージをセル内のＵＥに送信するように構成される。ページングメッセージは読み出し命令情報を含み、読み出し命令情報は、セル内のＵＥにシステムメッセージを読み出すように指示するために使用される。送信モジュールはさらに、システムメッセージをセル内のＵＥに送信するように構成される。システムメッセージ内のセルロケーション識別子はプリセットロケーション識別子であり、プリセットロケーション識別子は、ロケーション更新処理を実行するためにセル内のＵＥをトリガーするために使用される。位置特定モジュールは、セル内のアイドル状態のＵＥによって開始されるロケーション更新処理に応じて、セル内のアイドル状態のＵＥの位置を見つけるように構成される。
【００１２】
本発明の第３の態様の可能な実装において、位置特定モジュールは特に、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定したときに、アイドル状態のＵＥの一時的モバイル加入者アイデンティティを取得するように構成される。
【００１３】
任意選択で、アクセスネットワークデバイスはさらに、ロケーション更新モジュールを含む。ロケーション更新モジュールは、位置特定モジュールがアイドル状態のＵＥの一時的モバイル加入者アイデンティティを取得した後に、アイドル状態のＵＥのロケーション更新動作を拒否するように構成される。
【００１４】
任意選択で、アクセスネットワークデバイスはさらに、更新モジュールを含む。更新モジュールは、システムメッセージ内のセルロケーション識別子をプリセットロケーション識別子に更新するように構成される。プリセットロケーション識別子は、システムにおいて予約されるロケーション識別子である。
【００１５】
任意選択で、システムメッセージはさらに、システムメッセージ変更識別子を含む。システムメッセージ変更識別子は、システムメッセージ内のセルロケーション識別子が更新されることを確認するために使用される。それに相応して、アクセスネットワークデバイスはさらに、更新モジュールを含む。更新モジュールは、システムメッセージ内のセルロケーション識別子をプリセットロケーション識別子に更新し、システムメッセージ変更識別子を更新するように構成される。
【００１６】
任意選択で、読み出し命令情報は、ＢＣＣＨ修正情報である。
【００１７】
本発明の第４の態様は、ＵＥを提供する。ＵＥは、受信モジュールおよび位置特定モジュールを含む。受信モジュールは、アクセスネットワークデバイスからページングメッセージを受信するように構成される。ページングメッセージは読み出し命令情報を含み、読み出し命令情報は、セル内のＵＥにシステムメッセージを読み出すように指示するために使用される。受信モジュールはさらに、読み出し命令情報に応じてシステムメッセージを受信するように構成される。ロケーション更新モジュールは、システムメッセージ内のセルロケーション識別子を読み出し、システムメッセージ内のセルロケーション識別子はプリセットロケーション識別子であり、プリセットロケーション識別子に応じてロケーション更新処理を開始するように構成される。
【００１８】
本発明の実施形態において提供されるアイドル状態のユーザ機器の位置を見つけるための方法および装置によると、アクセスネットワークデバイスは、システムメッセージ内のセルロケーション識別子をプリセットロケーション識別子に更新し、ページングメッセージを用いて、セル内のアイドル状態のＵＥにシステムメッセージが変更されることを通知して、システムメッセージを読み出しかつセルロケーション識別子が更新されることを知るためにアイドル状態のＵＥをトリガーするようにする。したがって、アイドル状態のＵＥは、ロケーション更新処理を開始するためにトリガーされる。アクセスネットワークデバイスは、セル内のアイドル状態のＵＥによって開始されるロケーション更新処理に応じてセル内のアイドル状態のＵＥの位置を見つけ、それによりアイドル状態のＵＥの位置を見つける。
【図面の簡単な説明】
【００１９】
本発明の実施形態または従来技術における技術的解決策をより明確に説明するために、以下、実施形態または従来技術を説明するために必要な添付図面を簡単に説明する。明らかに、以下の説明における添付図面は、本発明のいくつかの実施形態を示しており、当業者は創造的な努力なしにこれらの添付図面から他の図面をなお導出し得る。
【図１】図１は本発明の実施形態１によるアイドル状態のユーザ機器の位置を見つけるための方法のフローチャートである。
【図２】図２は本発明の実施形態２によるアイドル状態のユーザ機器の位置を見つけるための方法のフローチャートである。
【図３】図３は本発明の実施形態３によるアクセスネットワークデバイスの概略構成図である。
【図４】図４は本発明の実施形態４によるＵＥの概略構成図である。
【図５】図５は本発明の実施形態５によるアクセスネットワークデバイスの概略構成図である。
【図６】図６は本発明の実施形態６によるＵＥの概略構成図である。
【発明を実施するための形態】
【００２０】
本発明の実施形態の目的、技術的解決策、および利点をより明確にするために、以下、本発明の実施形態における技術的解決策を本発明の実施形態における添付図面を参照して明確かつ十分に説明する。明らかに、説明される実施形態は、本発明の実施形態の一部ではあるがすべてではない。創造的な努力をせずに本発明の実施形態に基づいて当業者によって得られる他のすべての実施形態は、本発明の保護範囲に入るべきである。
【００２１】
本発明の実施形態において使用されるアクセスネットワークデバイスは、移動通信のためのグローバルシステム（Ｇｌｏｂａｌ  Ｓｙｓｔｅｍ  ｏｆ  Ｍｏｂｉｌｅ  Ｃｏｍｍｕｎｉｃａｔｉｏｎｓ、略してＧＳＭ）あるいは符号分割多重アクセス（Ｃｏｄｅ  Ｄｉｖｉｓｉｏｎ  Ｍｕｌｔｉｐｌｅ  Ａｃｃｅｓｓ、略してＣＤＭＡ）におけるベーストランシーバ基地局（Ｂａｓｅ  Ｔｒａｎｓｃｅｉｖｅｒ  Ｓｔａｔｉｏｎ、略してＢＴＳ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）におけるＮｏｄｅＢ（ＮｏｄｅＢ、略してＮＢ）、進化型ＮｏｄｅＢ（ｅｖｏｌｖｅｄ  ＮｏｄｅＢ、略してｅＮＢ）、ＬＴＥネットワークにおけるアクセスポイント（ａｃｃｅｓｓ  ｐｏｉｎｔ、ＡＰ）あるいは中継ノード、または次世代ネットワーク（すなわち、５Ｇネットワーク）における基地局であり得る。これは、本明細書では限定されない。
【００２２】
さらに、本発明の実施形態において使用されるユーザ機器は、無線端末であってもよい。無線端末は、ユーザに音声および／またはデータ接続性を提供するデバイス、無線接続機能を備えたハンドヘルドデバイス、または無線モデムに接続された別の処理装置であってもよい。無線端末は、無線アクセスネットワーク（Ｒａｄｉｏ  Ａｃｃｅｓｓ  Ｎｅｔｗｏｒｋ、ＲＡＮ）を使うことにより少なくとも１つのコアネットワークと通信し得る。無線端末は、携帯電話（または「セル」フォーンとも呼ばれる）などの移動端末、または移動端末を有するコンピュータであってもよい。例えば、ユーザ機器は、音声および／またはデータを無線アクセスネットワークと交換する携帯型、ポケットサイズ型、ハンドヘルド型、コンピュータ内蔵型、または車両搭載型のモバイル装置としてもよい。無線端末はまた、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動局（Ｍｏｂｉｌｅ  Ｓｔａｔｉｏｎ）、リモート局（Ｒｅｍｏｔｅ  Ｓｔａｔｉｏｎ）、アクセスポイント（ａｃｃｅｓｓ  ｐｏｉｎｔ、ＡＰ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、またはユーザ機器（Ｕｓｅｒ  Ｅｑｕｉｐｍｅｎｔ）と呼ばれることもある。これは、本明細書では限定されない。
【００２３】
図１は、本発明の実施形態１によるアイドル状態のユーザ機器の位置を見つけるための方法のフローチャートである。図１に示すように、この実施例態の方法は、以下のステップを含んでもよい。
【００２４】
ステップ１０１：アクセスネットワークデバイスは、ページング（Ｐａｇｉｎｇ）メッセージをセル内のＵＥに送信し、ページングメッセージは読み出し命令情報を含み、読み出し命令情報は、セル内のＵＥにシステムメッセージを読み出すように指示するために使用される。
【００２５】
この実施形態において、アクセスネットワークデバイスによってページングメッセージを送信する目的は、セル内のすべてのＵＥ（接続状態のＵＥおよびアイドル状態のＵＥを含む）に、システムメッセージが変更されることを通知することである。アクセスネットワークデバイスによりページングされるオブジェクトは、セル内のすべてのＵＥである。アイドル状態のＵＥはページングされる必要があるため、ページングメッセージのタイプはページングタイプ１である。ページングタイプ１は、アイドル状態、ＣＥＬＬ＿ＰＣＨ状態、またはＵＲＡ＿ＰＣＨ状態にあるＵＥに対するＵＥページングに適用可能である。すなわち、ページングタイプ１は、無線リンクを設定しないＵＥに対するページングに適用可能である。ページングメッセージを送信する前に、アクセスネットワークデバイスは、セル内の接続状態のＵＥの識別情報のみを取得することができ、セル内のアイドル状態のＵＥの識別情報を取得することができない。したがって、ページングメッセージをセル内のＵＥに送信する際に、アクセスネットワークデバイスは、セル内のＵＥ間を区別しない。すなわち、アクセスネットワークデバイスは、特定のＵＥにのみにページングメッセージを送信せず、ページングメッセージはページングされるＵＥの識別情報を含まない。
【００２６】
この実施形態では、アクセスネットワークデバイスは、読み出し命令情報をページングメッセージに追加する。読み出し命令情報はセル内のすべてのＵＥにシステムメッセージを読み出すように指示するために使用される。読み出し命令情報は、システム内の既存のブロードキャスト制御チャネル（Ｂｒｏａｄｃａｓｔ  Ｃｏｎｔｒｏｌ  Ｃｈａｎｎｅｌ、略してＢＣＣＨ）修正情報（修正ｉｎｆｏ）としてよいし、または本発明において新たに定義される命令情報としてよい。ＢＣＣＣＨ修正ｉｎｆｏは、一例として使用される。アクセスネットワークデバイスがＢＣＣＣＨ修正ｉｎｆｏをページングメッセージに追加した場合、セル内のアイドル状態、ＣＥＬＬ＿ＰＣＨ（ＵＭＴＳ）状態、またはＵＲＡ＿ＰＣＨ（ＵＭＴＳ）状態にある任意のＵＥがシステムメッセージを再度読み出す。
【００２７】
ＵＭＴＳネットワーク、ＬＴＥネットワークなどのページングチャネルは、多くのページングビットを有する。ページングビットは、ページングを示すために使用されるビットである。各ＵＥは、自身の特定ページングビットを有する。ＵＥは、ＵＥのＩＭＳＩによりページングチャネルにおける自身のページングビットを計算してもよく、次に、ＵＥは、ページングビットが１に設定されたか否かを知るために自身のページングビットを監視する。ＵＥが監視により自身のページングビットが「１」に設定されることを知った場合、ＵＥは、ＵＥ自体がページングされていると判定する。この実施形態では、ネットワーク側はアイドル状態のＵＥに関する情報をしらない。すなわち、ネットワーク側は、どのＵＥがページングされる必要があるかを知らない。したがって、アクセスネットワークデバイスは、ページングチャネルでのすべてのページングビットを１に設定し、セル内のすべてのＵＥをページングするようにする。
【００２８】
ステップ１０２：アイドル状態のＵＥは、アクセスネットワークデバイスによって送信されたページングメッセージを受信する。
【００２９】
アイドル状態のＵＥおよびセル内の接続状態のＵＥの両方は、アクセスネットワークデバイスによって送信されたページングメッセージを受信し、ページングメッセージに含まれる読み出し命令情報に応じてシステムメッセージを読み出す準備をする。
【００３０】
ステップ１０３：アクセスネットワークデバイスは、システムメッセージを送信し、システムメッセージ内のセルロケーション識別子はプリセットロケーション識別子であり、プリセットロケーション識別子は、ロケーション更新処理を実行するためにセル内のＵＥをトリガーするために使用される。
【００３１】
アクセスネットワークデバイスは、セル内のＵＥにネットワークアクセス層および非アクセス層を通知するために、セル内にシステムメッセージをブロードキャストし、それにより、ＵＥは、発呼を開始する前にネットワークの構成状態を知る。システムメッセージは通常、周期的にブロードキャストされる。ＵＥは、セルにアクセスする前にシステムメッセージを読み出す。ＵＥがセルにアクセスした後、一般に、ＵＥはシステムメッセージを積極的に読み出さない。したがって、この実施形態において、アクセスネットワークデバイスは、システムメッセージを積極的に読み出すために、ページングメッセージを送信することにより、セル内のＵＥをトリガーする。
【００３２】
この実施形態では、システムメッセージを送信する前に、アクセスネットワークデバイスはシステムメッセージを修正する。システムメッセージは、１つのマスター情報ブロック（Ｍａｓｔｅｒ  Ｉｎｆｏｒｍａｔｉｏｎ  Ｂｌｏｃｋ、略してＭＩＢ）および複数のシステム情報ブロック（Ｓｙｓｔｅｍ  Ｉｎｆｏｒｍａｔｉｏｎ  Ｂｌｏｃｋ、略してＳＩＢ）を含む。ＭＩＢは、セルの基本的物理層情報を含む。ＳＩＢ１は、セル選択に関する情報およびほかのＳＩＢのスケジュール情報を含む。ほかのＳＩＢのコンテンツは本明細書では説明されない。本実施形態では、アクセスネットワークデバイスは、システムメッセージ内のＳＩＢ１のセルロケーション識別子をプリセットロケーション識別子に更新する。プリセットロケーション識別子は、ロケーション更新処理を実行するためにＵＥをトリガーするために使用される。ＵＥは、一旦プリセットロケーション識別子を読み出すとロケーション更新処理を実行する。プリセットロケーション識別子は、システムにおいて予約されるロケーション識別子であってもよい。予約されたロケーション識別子は、特別な使用用であり、予約されたロケーション識別子は、通常のページングにおいては使用されない。あるいは、プリセットロケーション識別子は、本発明において新たに定義されるロケーション識別子であってもよい。
【００３３】
この実施形態では、システムメッセージ内のセルロケーション識別子は、アイドル状態のＵＥをトリガーしてロケーション更新処理を実行するためにプリセットロケーション識別子に更新されて、アクセスネットワークデバイスはロケーション更新処理に応じてアイドル状態のＵＥの位置を見つけることができるようになる。実際、ＵＥの位置は変更されない。一般に、ＵＥの位置が変更されない場合、ＵＥによって保存されるセルロケーション識別子およびシステムメッセージ内のセルロケーション識別子は同一であり、ＵＥはロケーション更新処理を行わない。
【００３４】
この実施形態において、アクセスネットワークデバイスによってアイドル状態のＵＥの位置を見つけることは、アクセスネットワークデバイスは、ＵＥが、アクセスネットワークデバイスが位置するセル内にあるか否かを検知することであり、ＵＥの特定の位置を検知することではないことに留意されたい。
【００３５】
ＬＴＥシステムにおいて、セルロケーション識別子は、トラッキングエリアコード（Ｔｒａｃｋｉｎｇ  ａｒｅａ  ｃｏｄｅ、略してＴＡＣ）であり、プリセットロケーション識別子は、システムにおいて予約されるＴＡＣとしてよい。ＴＡＣは、トラッキングエリアを識別するために使用される。１つのトラッキングエリアは１つまたは複数のセルをカバーし得る。トラッキングエリアは、ページングおよびロケーション更新のために使用される領域である。
【００３６】
ＵＭＴＳにおいて、セルロケーション識別子は、ロケーションエリアコード（ｌｏｃａｔｉｏｎ  ａｒｅａ  ｃｏｄｅ、略してＬＡＣ）であり、プリセットロケーション識別子は、システムにおいて予約されるＬＡＣであってもよい。ＬＡＣは、我が国のデジタルパブリックランドモバイルネットワーク（Ｐｕｂｌｉｃ  Ｌａｎｄ  Ｍｏｂｉｌｅ  Ｎｅｔｗｏｒｋ、略してＰＬＭＮ）において各ロケーションエリアを一意的に識別することができる。ＬＡＣは、２バイト１６進数の２進化１０進数（Ｂｉｎａｒｙ−Ｃｏｄｅｄ  Ｄｅｃｉｍａｌ、略してＢＣＤ）コードであり、Ｌ１Ｌ２Ｌ３Ｌ４（範囲は、００００からＦＦＦＦまであり、６５５３６の異なるエリアロケーションが定義可能である）として表現される。ＬＡＣは、各セルのブロードキャストチャネル上のシステムメッセージにおいて送信される。移動局が電源投入され、加入者アイデンティティモジュール（Ｓｕｂｓｃｒｉｂｅ  Ｉｄｅｎｔｉｔｙ  Ｍｏｄｕｌｅ、略してＳＩＭ）カードが挿入され、または現在のセルのＬＡＣが移動局の当初保存されたコンテンツと異なるときは、移動局は、インターナショナルモバイル加入者アイデンティティモジュール（Ｉｎｔｅｒｎａｔｉｏｎａｌ  Ｍｏｂｉｅｌｅ  Ｓｕｂｓｃｒｉｂｅ  Ｉｄｅｎｔｉｆｉｃａｔｉｏｎ  Ｎｕｍｂｅｒ、略してＩＭＳＩ）アタッチ（ＩＭＳＩＡｔｔａｃｈ）またはロケーション更新処理を使うことにより、その現在のロケーションエリアをネットワークに公示する。ネットワークは、各ＵＥのロケーションエリアを格納し、ロケーションエリアを、将来ＵＥをページングするためのロケーション情報として使用する。
【００３７】
任意選択で、システムメッセージは、システムメッセージ変更識別子をさらに含む。システムメッセージ変更識別子は、システムメッセージ内のセルロケーション識別子が更新されることを確認するために使用される。システムメッセージを受信するときに、ＵＥは、まず、システムメッセージ変更識別子を読み出し、次にシステムメッセージ変更識別子に応じて、システムメッセージが更新されるか否かを判定する。システムメッセージが更新された場合、ＵＥはさらにシステムメッセージ内の各ＳＩＢのコンテンツを読み出す。システムメッセージが更新されない場合、ＵＥは、システムメッセージ内の各ＳＩＢのコンテンツを読み出さない。
【００３８】
任意選択で、システムメッセージ変更識別子は、ＳＩＢ１内のシステム情報値タグ（ｓｙｓｔｅｍＩｎｆｏＶａｌｕｅＴａｇ）とすることがある。ｓｙｓｔｅｍＩｎｆｏＶａｌｕｅＴａｇの値は、０〜３１の範囲である。ｓｙｓｔｅｍＩｎｆｏＶａｌｕｅＴａｇの値は、システムメッセージが更新される度に１つずつ増加される。システムメッセージを受信した後に、ＵＥは、ＳＩＢ１からのｓｙｓｔｅｍＩｎｆｏＶａｌｕｅＴａｇを読み出し、システムメッセージ内のｓｙｓｔｅｍＩｎｆｏＶａｌｕｅＴａｇの値とＵＥによって格納されたｓｙｓｔｅｍＩｎｆｏＶａｌｕｅＴａｇの値とを比較する。システムメッセージ内のｓｙｓｔｅｍＩｎｆｏＶａｌｕｅＴａｇの値がＵＥによって格納されたｓｙｓｔｅｍＩｎｆｏＶａｌｕｅＴａｇの値と異なる場合、それはシステムメッセージが変更されることを示し、ＵＥは、他のＳＩＢのコンテンツを再度読み出す必要がある。システムメッセージ内のｓｙｓｔｅｍＩｎｆｏＶａｌｕｅＴａｇの値とＵＥによって格納されたｓｙｓｔｅｍＩｎｆｏＶａｌｕｅＴａｇの値とが同じ場合、それはシステムメッセージが変更されないことを示し、ＵＥは、他のＳＩＢのコンテンツを読み出す必要がない。もちろん、システムメッセージ変更識別子はまた、本発明において新たに定義される識別子であってもよい。
【００３９】
ステップ１０４：アイドル状態のＵＥは、読み出し命令情報に応じてシステムメッセージを受信し、システムメッセージ内のセルロケーション識別子を読み出し、システムメッセージ内のセルロケーション識別子はプリセットロケーション識別子である。
【００４０】
ステップ１０５：アイドル状態のＵＥは、前記プリセットロケーション識別子に応じてロケーション更新処理を開始する。
【００４１】
システムメッセージを受信した後に、アイドル状態のＵＥが、システムメッセージに含まれるセルロケーション識別子がプリセットロケーション識別子に更新されることを知った場合に、ＵＥはロケーション更新処理を開始する。システムメッセージを受信した後に、接続状態のＵＥが、システムメッセージに含まれるセルロケーション識別子がプリセットロケーション識別子に更新されることを知った場合に、接続状態のＵＥはロケーション更新処理を開始してもよいし、またはロケーション更新処理を開始しないようにしてもよい。
【００４２】
ステップ１０６：アクセスネットワークデバイスは、セル内のアイドル状態のＵＥによって開始されるロケーション更新処理に応じて、セル内のアイドル状態のＵＥの位置を見つける。
【００４３】
具体的には、アイドル状態のＵＥがロケーション更新処理を開始した後に、アクセスネットワークデバイスは、アイドル状態のＵＥによって開始されるロケーション更新処理を検知し、アイドル状態のＵＥによって開始されるロケーション更新処理に応じて、アイドル状態のＵＥの一時的モバイル加入者アイデンティティ（Ｔｅｍｐｏｒａｒｙ  Ｍｏｂｉｌｅ  Ｓｕｂｓｃｒｉｂｅｒ  Ｉｄｅｎｔｉｆｙ、略してＴＭＳＩ）を取得し、さらにどのＵＥがロケーション更新処理を開始するかを判定し、それによりアイドル状態のＵＥの存在を検知する。アクセスネットワークデバイスはさらに、アイドル状態のＵＥによって開始されたロケーション更新処理に応じて、アイドル状態のＵＥの受信信号強度などを取得してもよい。アイドル状態のＵＥのＴＭＳＩを取得した後に、アクセスネットワークデバイスはさらに、アイドル状態のＵＥが更新することを要求するセルロケーション識別子がプリセットロケーション識別子であるか否かを判定する。アイドル状態のＵＥが更新することを要求するセルロケーション識別子がプリセットロケーション識別子であると判定したときに、アクセスネットワークデバイスは、アイドル状態のＵＥのロケーション更新動作を拒否し得る。アクセスネットワークデバイスがアイドル状態のＵＥのロケーション更新動作を拒否するため、アイドル状態のＵＥのロケーションは更新されない。プリセットロケーション識別子は、アイドル状態のＵＥのトラッキングエリアリストに追加されない。アイドル状態のＵＥがその後ページングするときに、プリセットロケーション識別子は、アイドル状態のトラッキングエリアリストに存在せず、アクセスネットワークデバイスは、プリセットロケーション識別子に応じて、ＵＥをページングしない。プリセットロケーション識別子はセルのロケーション識別子ではないので、プリセットロケーション識別子に応じてアイドル状態のＵＥをページングする際に、アクセスネットワークデバイスはアイドル状態のＵＥをページングすることができない。これはページングのリソース浪費を招くことがある。この実施形態では、ロケーション更新動作を拒否することが、無効なページングにより引き起こされるその後のページングリソース浪費の問題を回避する。
【００４４】
任意選択で、アクセスネットワークデバイスが、アイドル状態のＵＥが更新することを要求するセルロケーション識別子がプリセットロケーション識別子であると判定したときに、アクセスネットワークデバイスは、ロケーション更新処理を行い続けることがあり、アクセスネットワークデバイスは、プリセットロケーション識別子をアイドル状態のＵＥのトラッキングエリアリストに追加する。この態様は、ＵＥに対する通常のページングに影響を及ぼさないが、ページングリソース浪費を引き起こし得る。
【００４５】
この実施形態では、接続状態のＵＥはまた、アイドル状態のＵＥの方法と同様の方法を用いてロケーション更新処理を開始した場合に、アクセスネットワークデバイスは、接続状態のＵＥのロケーション更新処理を拒否し得る、または通常のロケーション更新処理を行い得る。
【００４６】
この実施形態では、ロケーション更新処理において、アクセスネットワークデバイスは、アイドル状態のＵＥのＴＭＳＩ、受信信号強度などを取得することによりアイドル状態のＵＥの存在を検知する、すなわち、アイドル状態のＵＥが、アクセスネットワークデバイスがページングを行うセル内に位置することを検知する。アイドル状態のＵＥの位置を見つけた後に、アクセスネットワークデバイスは、ＵＥについての情報をサービスアンカー（Ｓｅｒｖｉｃｅ  Ａｎｃｈｏｒ、略してＳＶＡ）に送信し得る。ＳＶＡは、アイドル状態のＵＥについての情報に応じて、下記の動作を実行する。
（１）セル内のユーザの数量の計数：具体的なインドアまたはアウトドア領域において、セルによってカバーされるすべてのユーザは数えられる必要がある。既存の方法を使用することにより、接続状態のＵＥのみが見つけられることができ、アイドル状態のＵＥは、見つけることができない。結果的に、セル内のユーザの数量は正確に数えられることができない。本発明のこの実施形態の方法を使用することにより、基地局は、アイドル状態のＵＥの位置を見つけることができ、ＳＶＡは、セル内のユーザの数量（アイドル状態のＵＥおよび接続状態のＵＥを含む）を正確に数えることができる。
（２）制限領域内への侵入者についての警告：携帯電話を保持するユーザが特定の制限領域内に侵入し、携帯電話がアイドル状態であるときに、アイドル状態の携帯電話の存在は、既存の方法を使用することにより感知されることができない。この実施形態の方法を使用することにより、基地局は、アイドル状態のＵＥの存在を検知してＳＶＡに報告することができ、その結果ＳＶＡは、警告情報をアイドル状態のＵＥに送信する。
（３）エネルギーの節約：基地局は、インドアの対象施設のシャットダウンを容易にし、電力の節約という目的を達成するために、セル内にユーザがいるか否かを判定する必要がある。従来技術においては、セル内に接続状態のＵＥが存在せずかつアイドル状態のＵＥのみが存在する場合、基地局はアイドル状態のＵＥを検知することができないため、基地局は、セル内にユーザがまったくいないとみなし、次にインドアの対象施設をシャットダウンする。アイドル状態のＵＥがその後通信を要求する場合、基地局がインドアの対象施設をシャットダウンするため、ＵＥは通信を行うことができない。結果的に、ユーザの通常使用が影響を受ける。本発明のこの実施形態の方法を使用することにより、基地局は、アイドル状態のＵＥの存在を検知してＡＶＡに報告することができ、その結果ＳＶＡは、インドアの対象施設をシャットダウンするか否かを判定する。
【００４７】
この実施形態では、アクセスネットワークデバイスは、システムメッセージ内のセルロケーション識別子をプリセットロケーション識別子に更新し、ページングメッセージを使用することにより、セル内のＵＥにシステムメッセージが変更されることを通知し、システムメッセージを読み出してセルロケーション識別子が更新されることを知るために、ＵＥをトリガーするようにする。したがって、アイドル状態のＵＥは、ロケーション更新処理を開始するためにトリガーされる。アクセスネットワークデバイスは、セル内のアイドル状態のＵＥによって開始されるロケーション更新処理に応じて、セル内のアイドル状態のＵＥの位置を見つけ、それによりアイドル状態のＵＥの位置を見つける。
【００４８】
図２は、本発明の実施形態２によるアイドル状態のユーザ機器の位置を見つけるための方法のフローチャートである。図２に示すように、この実施形態の方法は、以下のステップを含むようにしてもよい。
【００４９】
ステップ２０１：アクセスネットワークデバイスは、ページングメッセージをセル内のアイドル状態のＵＥに別々に送信し、ページングメッセージはページングされることになるアイドル状態のＵＥの加入者アイデンティティを含む。
【００５０】
ステップ２０２：アイドル状態のＵＥは、ページングメッセージを受信する。
【００５１】
ステップ２０３：アイドル状態のＵＥは、ページングメッセージに応じて、ＲＲＣ接続セットアップ要求をアクセスネットワークデバイスに送信する。
【００５２】
ステップ２０４：アクセスネットワークデバイスは、ＲＲＣ接続セットアップ要求を拒否し、ＲＲＣ接続セットアップ要求に応じてアイドル状態のＵＥの位置を見つける。
【００５３】
この実施形態の前提は、アクセスネットワークデバイスがページングされることになるアイドル状態のＵＥの加入者アイデンティティを取得する必要があることである。加入者アイデンティティは、アイドル状態のＵＥのＩＭＳＩまたはＴＭＳＩであってもよい。アクセスネットワークデバイスは、接続状態からアイドル状態に切り替えられるＵＥの加入者アイデンティティのみを取得し得る。セルに移動するがセルにアクセスしないＵＥについて、アクセスネットワークデバイスは、ＵＥの加入者アイデンティティを取得することができず、ＵＥに対するページングを開始することができない。
【００５４】
既存の機構において、セル内のＵＥが接続状態からアイドル状態に切り替えられるときに、ＭＭＥは、ＵＥについての情報を直ちに削除しないが、ある期間、ＵＥについての情報を保存する。したがって、アクセスネットワークデバイスは、ＭＭＥから、セル内のアイドル状態のＵＥの加入者アイデンティティを取得し得る。アイドル状態のＵＥは、依然としてセルにキャンプオンしてもよいし、またはセルを退出してもよい。
【００５５】
セルを退出したアイドル状態のＵＥについて、アクセスネットワークデバイスがページングメッセージを送信した後に、アイドル状態のＵＥは、ページングメッセージを受信できず、その後のＲＲＣ接続セットアップ処理をトリガーすることができない。
【００５６】
セルにまだキャンプオンするアイドル状態のＵＥについて、アクセスネットワークデバイスがページングメッセージをアイドル状態のＵＥに送信した後に、アイドル状態のＵＥは、ページングメッセージを受信し、ページングメッセージ内で運ばれる加入者アイデンティティに応じて、アイドル状態のＵＥ自身がページングされていると判定し、通常のアクセス処理に入る。すなわち、アイドル状態のＵＥは、ＲＲＣ接続セットアップ処理を開始する。アイドル状態のＵＥについて、アクセスネットワークデバイスは、この時点で、アイドル状態のＵＥにダウンリンクデータを送信する必要がないため、アイドル状態のＵＥに対してＲＲＣ接続がセットアップされた場合に、無線リソース浪費が引き起こされる。したがって、アクセスネットワークデバイスは、無線リソース浪費を回避するように、アイドル状態のＵＥによって開始されるＲＲＣ接続セットアップ処理を拒否し得る。
【００５７】
セルに移動するがセルにアクセスしないアイドル状態のＵＥについて、アイドル状態のＵＥは一度もセルにアクセスしなかったため、アクセスネットワークデバイスは、アイドル状態のＵＥの加入者アイデンティティを取得することができず、アイドル状態のＵＥをページングすることができない。
【００５８】
図３は、本発明の実施形態３によるアクセスネットワークデバイスの概略構成図である。図３に示すように、この実施形態において提供されるアクセスネットワークデバイスは、送信モジュール１１および位置特定モジュール１２を含む。
【００５９】
送信モジュール１１は、ページングメッセージをセル内のＵＥに送信するように構成され、ページングメッセージは読み出し命令情報を含み、読み出し命令情報は、セル内のＵＥにシステムメッセージを読み出すように指示するために使用される。送信モジュール１１はさらに、システムメッセージをセル内のＵＥに送信するように構成され、システムメッセージ内のセルロケーション識別子はプリセットロケーション識別子であり、プリセットロケーション識別子は、ロケーション更新処理を実行するためにセル内のＵＥをトリガーするために使用される。
【００６０】
位置特定モジュール１２は、セル内のアイドル状態のＵＥによって開始されるロケーション更新処理に応じて、セル内のアイドル状態のＵＥの位置を見つけるように構成される。
【００６１】
任意選択で、読み出し命令情報は、ＢＣＣＨ修正情報である。
【００６２】
任意選択で、アクセスネットワークデバイスはさらに、更新モジュールを含む。更新モジュールは、システムメッセージ内のセルロケーション識別子をプリセットロケーション識別子に更新するように構成される。
【００６３】
任意選択で、システムメッセージはさらに、システムメッセージ変更識別子を含む。システムメッセージ変更識別子は、システムメッセージ内のセルロケーション識別子が更新されることを確認するために使用される。それに相応して、更新モジュールはさらに、システムメッセージ内のシステムメッセージ変更識別子を更新するように構成される。任意選択で、システムメッセージ変更識別子は、ＳＩＢ１内のシステム情報値タグである。
【００６４】
任意選択で、プリセットロケーション識別子は、システムにおいて予約されるロケーション識別子である。
【００６５】
任意選択で、位置特定モジュール１２は特に、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定するときに、アイドル状態のＵＥの一時的モバイル加入者アイデンティティを取得するように構成される。
【００６６】
任意選択で、アクセスネットワークデバイスはさらに、ロケーション更新モジュールを含む。ロケーション更新モジュールは、アイドル状態のＵＥのロケーション更新動作を拒否するように構成される。
【００６７】
この実施形態におけるアクセスネットワークデバイスによると、アクセスネットワークデバイスの機能モジュールは、実施形態１における方法を実施するように構成し得る。具体的な実装および技術的効果は、実施形態１における方法のものと同様であり、詳細はここでは再度説明されない。
【００６８】
図４は、本発明の実施形態４によるＵＥの概略構成図である。図４に示すように、この実施形態において提供されるＵＥは、受信モジュール２１およびロケーション更新モジュール２２を含む。
【００６９】
受信モジュール２１は、アクセスネットワークデバイスからページングメッセージを受信するように構成され、ページングメッセージは読み出し命令情報を含み、読み出し命令情報は、セル内のＵＥにシステムメッセージを読み出すように指示するために使用される。受信モジュール２１はさらに、読み出し命令情報に応じてシステムメッセージを受信するように構成される。
【００７０】
ロケーション更新モジュール２２は、システムメッセージ内のセルロケーション識別子を読み出し、システムメッセージ内のセルロケーション識別子はプリセットロケーション識別子であり、プリセットロケーション識別子に応じてロケーション更新処理を開始するように構成される。
【００７１】
任意選択で、プリセットロケーション識別子は、システムにおいて予約されるロケーション識別子である。読み出し命令情報は、ＢＣＣＨ修正情報である。
【００７２】
任意選択で、システムメッセージはさらに、システムメッセージ変更識別子を含む。システムメッセージ変更識別子は、システムメッセージ内のセルロケーション識別子が更新されることを確認するために使用される。任意選択で、システムメッセージ変更識別子は、ＳＩＢ１内のシステム情報値タグである。
【００７３】
この実施形態におけるＵＥによると、ＵＥの機能モジュールは、実施形態１における方法を実施するように構成し得る。具体的な実装および技術的効果は、実施形態１における方法のものと同様であり、詳細はここでは再度説明されない。
【００７４】
図５は、本発明の実施形態５によるアクセスネットワークデバイスの概略構成図である。図５に示すように、この実施形態において提供されるアクセスネットワークデバイスは、プロセッサ３１、メモリ３２、およびトランシーバ３３を含む。メモリ３２およびトランシーバ３３は、バスを用いてプロセッサ３１と接続しかつ通信し得る。メモリ３２は、コンピュータプログラムを格納するように構成される。トランシーバ３３は、データを受信および送信するように構成される。プロセッサ３１は、メモリ３２に格納されたプログラムを実行し、データを処理するように構成される。この実施形態におけるアクセスネットワークデバイスは、上記実施形態１の方法を実施するように構成され得る。
【００７５】
図６は、本発明の実施形態６によるＵＥの概略構成図である。図６に示すように、この実施形態において提供されるＵＥは、プロセッサ４１、メモリ４２、およびトランシーバ４３を含む。メモリ４２およびトランシーバ４３は、バスを用いてプロセッサ４１と接続しかつ通信し得る。メモリ４２は、コンピュータプログラムを格納するように構成される。トランシーバ４３は、データを受信および送信するように構成される。プロセッサ４１は、メモリ４２に格納されたプログラムを実行し、データを処理するように構成される。この実施形態におけるＵＥは、上記実施形態１の方法を実施するように構成され得る。
【００７６】
図５および図６に示される実施形態において、プロセッサは特に、一般的な中央処理装置、特定用途向け集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、プログラム実行を制御するために使用される１つまたは複数の集積回路、フィールドプログラマブルゲートアレイ（英語：Ｆｉｅｌｄ  Ｐｒｏｇｒａｍｍａｂｌｅ  Ｇａｔｅ  Ａｒｒａｙ、略してＦＰＧＡ）を使用して開発されるハードウェア回路、またはベースバンドプロセッサであってもよい。メモリは、読み出し専用メモリ（英語：Ｒｅａｄ  Ｏｎｌｙ  Ｍｅｍｏｒｙ、略してＲＯＭ）、ランダムアクセスメモリ（英語：Ｒａｎｄｏｍ  Ａｃｃｅｓｓ  Ｍｅｍｏｒｙ、略してＲＡＭ）、または磁気ディスクストレージのうちの１つまたは複数を含み得る。メモリは、データ、および／またはプロセッサを実行させるために必要な命令を格納するように構成される。１つまたは複数のメモリがあってもよい。
【００７７】
当業者は、方法の実施形態のステップのすべてまたは一部が、関連するハードウェアを指示するプログラムによって実施されてもよいことを理解し得る。前述のプログラムは、コンピュータ可読記憶媒体に格納されてもよい。プログラムが実行されると、方法の実施形態のステップが実行される。前述の記憶媒体は、ＲＯＭ、ＲＡＭ、磁気ディスク、または光ディスクなどの、プログラムコードを格納可能な任意の媒体を含む。
【００７８】
最後に、上述の実施形態は単に、本発明の技術的解決策を説明するために意図されたものに過ぎず、本発明を限定するものではないことに留意されたい。本発明は、上述の実施形態を参照して詳細に説明されているが、当業者は、本発明の実施形態の技術的解決策の範囲から逸脱することなく、上述の実施形態に記載された技術的解決策を依然として変更してもよいし、またはその技術的特徴の一部またはすべてを等価なものに置き換え得ることを理解すべきである。
【図１】
2019508970.tif 000003
【図２】
2019508970.tif 000004
【図３】
2019508970.tif 000005
【図４】
2019508970.tif 000006
【図５】
2019508970.tif 000007
【図６】
2019508970.tif 000008
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
アイドル状態のユーザ機器（ＵＥ）の位置を見つけるための方法であって、
アクセスネットワークデバイスによって、ページングメッセージをセル内のＵＥに送信するステップであって、前記ページングメッセージは読み出し命令情報を含み、前記読み出し命令情報は、前記セル内の前記ＵＥにシステムメッセージを読み出すように指示するために使用される、ステップと、
前記アクセスネットワークデバイスによって、前記システムメッセージを前記セル内の前記ＵＥに送信するステップであって、前記システムメッセージ内のセルロケーション識別子はプリセットロケーション識別子であり、前記プリセットロケーション識別子は、ロケーション更新処理を実行するために前記セル内の前記ＵＥをトリガーするために使用される、ステップと、
前記アクセスネットワークデバイスによって、前記セル内の前記アイドル状態のＵＥによって開始されるロケーション更新処理に応じて、前記セル内のアイドル状態のＵＥの位置を見つけるステップと
を含む方法。
【請求項２】
前記システムメッセージはさらに、システムメッセージ変更識別子を含み、前記システムメッセージ変更識別子は、前記システムメッセージ内の前記セルロケーション識別子が更新されることを確認するために使用される、請求項１に記載の方法。
【請求項３】
前記アクセスネットワークデバイスによって前記システムメッセージを送信するステップの前に、前記方法はさらに、
前記アクセスネットワークデバイスによって、前記システムメッセージ内の前記セルロケーション識別子を前記プリセットロケーション識別子に更新するステップを含む、請求項１に記載の方法。
【請求項４】
前記アクセスネットワークデバイスによって前記システムメッセージを送信するステップの前に、前記方法はさらに、
前記アクセスネットワークデバイスによって、前記システムメッセージ内の前記セルロケーション識別子を前記プリセットロケーション識別子に更新し、前記システムメッセージ内の前記システムメッセージ変更識別子を更新するステップを含む、請求項２に記載の方法。
【請求項５】
アイドル状態のユーザ機器（ＵＥ）の位置を見つけるための方法であって、
前記アイドル状態のＵＥによって、アクセスネットワークデバイスからページングメッセージを受信するステップであって、前記ページングメッセージは読み出し命令情報を含み、前記読み出し命令情報は、セル内のＵＥにシステムメッセージを読み出すように指示するために使用される、ステップと、
前記アイドル状態のＵＥによって、前記読み出し命令情報に応じて前記システムメッセージを受信し、前記システムメッセージ内のセルロケーション識別子を読み出すステップであって、前記システムメッセージ内の前記セルロケーション識別子はプリセットロケーション識別子である、ステップと、
前記アイドル状態のＵＥによって、前記プリセットロケーション識別子に応じてロケーション更新処理を開始するステップと
を含む方法。
【請求項６】
前記システムメッセージはさらに、システムメッセージ変更識別子を含み、前記システムメッセージ変更識別子は、前記システムメッセージ内の前記セルロケーション識別子が更新されることを確認するために使用される、請求項５に記載の方法。
【請求項７】
前記プリセットロケーション識別子は、システムにおいて予約されるロケーション識別子である、請求項５または６に記載の方法。
【請求項８】
前記読み出し命令情報は、ブロードキャスト制御チャネル（ＢＣＣＨ）修正情報である、請求項５または６に記載の方法。
【請求項９】
前記システムメッセージ変更識別子は、システム情報ブロック（ＳＩＢ１）内のシステム情報値タグである、請求項６に記載の方法。
【請求項１０】
ページングメッセージをセル内のユーザ機器（ＵＥ）に送信するように構成される送信モジュールであって、前記ページングメッセージは読み出し命令情報を含み、前記読み出し命令情報は、前記セル内の前記ＵＥにシステムメッセージを読み出すように指示するために使用される、送信モジュールと、
前記送信モジュールはさらに、前記システムメッセージを前記セル内の前記ＵＥに送信するように構成され、前記システムメッセージ内のセルロケーション識別子はプリセットロケーション識別子であり、前記プリセットロケーション識別子は、ロケーション更新処理を実行するために前記セル内の前記ＵＥをトリガーするために使用され、
前記セル内のアイドル状態のＵＥによって開始されるロケーション更新処理に応じて、前記セル内のアイドル状態のＵＥの位置を見つけるように構成される位置特定モジュールと
を備えるアクセスネットワークデバイス。
【請求項１１】
前記システムメッセージはさらに、システムメッセージ変更識別子を含み、前記システムメッセージ変更識別子は、前記システムメッセージ内の前記セルロケーション識別子が更新されることを確認するために使用される、請求項１０に記載のアクセスネットワークデバイス。
【請求項１２】
前記システムメッセージ内の前記セルロケーション識別子を前記プリセットロケーション識別子に更新するように構成される更新モジュールをさらに含む、請求項１０に記載のアクセスネットワークデバイス。
【請求項１３】
前記システムメッセージ内の前記セルロケーション識別子を前記プリセットロケーション識別子に更新し、前記システムメッセージ内の前記システムメッセージ変更識別子を更新するように構成される更新モジュールをさらに含む、請求項１１に記載のアクセスネットワークデバイス。
【請求項１４】
前記プリセットロケーション識別子は、システムにおいて予約されるロケーション識別子である、請求項１０に記載のアクセスネットワークデバイス。
【請求項１５】
前記位置特定モジュールは、
前記アイドル状態のＵＥによって開始される前記ロケーション更新処理に応じて、前記アイドル状態のＵＥが更新することを要求するセルロケーション識別子が前記プリセットロケーション識別子か否かを判定し、
前記アイドル状態のＵＥが更新することを要求する前記セルロケーション識別子が前記プリセットロケーション識別子であると判定する場合、前記アイドル状態のＵＥの一時的モバイル加入者アイデンティティを取得するように構成される、請求項１０ないし１４のいずれか１項に記載のアクセスネットワークデバイス。
【請求項１６】
前記アイドル状態のＵＥのロケーション更新動作を拒否するように構成されるロケーション更新モジュールをさらに含む、請求項１５に記載のアクセスネットワークデバイス。
【請求項１７】
前記読み出し命令情報は、ブロードキャスト制御チャネル（ＢＣＣＨ）修正情報である、請求項１０ないし１６のいずれか１項に記載のアクセスネットワークデバイス。
【請求項１８】
前記システムメッセージ変更識別子は、システム情報ブロック（ＳＩＢ１）内のシステム情報値タグである、請求項１１または１３に記載のアクセスネットワークデバイス。
【請求項１９】
ユーザ機器（ＵＥ）であって、
アクセスネットワークデバイスからページングメッセージを受信するように構成される受信モジュールであって、前記ページングメッセージは読み出し命令情報を含み、前記読み出し命令情報は、セル内のＵＥにシステムメッセージを読み出すように指示するために使用される、受信モジュールと、
前記受信モジュールはさらに、前記読み出し命令情報に応じて前記システムメッセージを受信するように構成され、
前記システムメッセージ内のセルロケーション識別子を読み出し、前記システムメッセージ内の前記セルロケーション識別子はプリセットロケーション識別子であり、前記プリセットロケーション識別子に応じてロケーション更新処理を開始するように構成されるロケーション更新モジュールと
を備えるＵＥ。
【請求項２０】
前記システムメッセージはさらに、システムメッセージ変更識別子を含み、前記システムメッセージ変更識別子は、前記システムメッセージ内の前記セルロケーション識別子が更新されることを確認するために使用される、請求項１９に記載のＵＥ。
【請求項２１】
前記プリセットロケーション識別子は、システムにおいて予約されるロケーション識別子である、請求項１９または２０に記載のＵＥ。
【請求項２２】
前記読み出し命令情報は、ブロードキャスト制御チャネル（ＢＣＣＨ）修正情報である、請求項１９または２０に記載のＵＥ。
【請求項２３】
前記システムメッセージ変更識別子は、システム情報ブロック（ＳＩＢ１）内のシステム情報値タグである、請求項１９に記載のＵＥ。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術に関し、特に、アイドル状態のユーザ機器（ＵＥ）および装置の位置を見つけるための方法および装置に関する。
【背景技術】
【０００２】
ロングタームエボリューション（ＬＴＥ）システムにおいて、ＵＥの無線リソース制御（ＲＲＣ）状態は、アイドル状態および接続状態を含む。ＵＥが接続状態の場合、ＵＥは、ネットワーク側とアップリンクおよびダウンリンクデータ送信を行う。ＵＥがアイドル状態の場合、ＵＥとネットワーク側との間ではデータ交換がない。アイドル状態のＵＥとネットワーク側との間でデータ交換がないため、ネットワーク側は、アイドル状態のＵＥの存在を検知できない。多数の既存のシナリオにおいて、アイドル状態のＵＥの存在は検知される必要がある。例えば、クラウド統計収集または熱力学線図などのアプリケーションにおいて、アイドル状態のＵＥを検知する失敗により、不完全なユーザ統計収集という結果となり、アプリケーション値は大幅に減少される。
【発明の概要】
【０００３】
本発明の実施形態は、アイドル状態のユーザ機器の位置を見つけるための方法および装置を提供し、アイドル状態のＵＥの位置を見つけるようにする。
【０００４】
本発明の第１の態様は、アイドル状態のユーザ機器の位置を見つけるための方法を提供する。方法は、アクセスネットワークデバイスが、ページングメッセージをセル内のユーザ機器ＵＥに送信することを含む。ページングメッセージは読み出し命令情報を含み、読み出し命令情報は、セル内のＵＥにシステムメッセージを読み出すように指示するために使用される。次にアクセスネットワークデバイスは、システムメッセージをセル内のＵＥに送信する。システムメッセージ内のセルロケーション識別子はプリセットロケーション識別子であり、プリセットロケーション識別子は、ロケーション更新処理を実行するためにセル内のＵＥをトリガーするために使用される。セル内のアイドル状態のＵＥは、プリセットロケーション識別子に応じてロケーション更新処理を開始する。アクセスネットワークデバイスは、セル内のアイドル状態のＵＥによって開始されるロケーション更新処理に応じて、セル内のアイドル状態のＵＥの位置を見つける。方法において、アクセスネットワークデバイスは、システムメッセージ内のセルロケーション識別子をプリセットロケーション識別子に更新し、ロケーション更新処理を開始するためにアイドル状態のＵＥをトリガーするようにする。アクセスネットワークデバイスは、アイドル状態のＵＥによって開始されるロケーション更新処理を用いて、アイドル状態のＵＥを検知することができ、それによりアイドル状態のＵＥの位置を見つける。
【０００５】
本発明の第１の態様の可能な実装において、アクセスネットワークデバイスが、セル内のアイドル状態のＵＥによって開始されるロケーション更新処理に応じて、セル内のアイドル状態のＵＥの位置を見つけることは、アクセスネットワークデバイスが、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定するときに、アクセスネットワークデバイスは、アイドル状態のＵＥの一時的モバイル加入者アイデンティティを取得し、アイドル状態のＵＥがセル内に位置すると判定するようにする。
【０００６】
任意選択で、アイドル状態のＵＥの一時的モバイル加入者アイデンティティを取得した後に、アクセスネットワークデバイスは、アイドル状態のＵＥのロケーション更新動作を拒否してもよいし、またはアイドル状態のＵＥのロケーション更新動作を実行し続けるようにしてもよい。プリセットロケーション識別子は、ロケーション更新動作を使用することによりアイドル状態のＵＥのトラッキングエリアリストに追加される。
【０００７】
任意選択で、システムメッセージを送信する前に、アクセスネットワークデバイスは、システムメッセージ内のセルロケーション識別子をプリセットロケーション識別子に更新する。任意選択で、プリセットロケーション識別子は、システムにおいて予約されるロケーション識別子である。
【０００８】
任意選択で、システムメッセージはさらに、システムメッセージ変更識別子を含む。システムメッセージ変更識別子は、システムメッセージ内のセルロケーション識別子が更新されることを確認するために使用される。それに相応して、システムメッセージを送信する前に、アクセスネットワークデバイスはさらに、システムメッセージ内のシステムメッセージ変更識別子を更新してもよい。任意選択で、システムメッセージ変更識別子は、ＳＩＢ１内のシステム情報値タグである。
【０００９】
任意選択で、読み出し命令情報は、ＢＣＣＨ修正情報である。
【００１０】
本発明の第２の態様は、アイドル状態のユーザ機器の位置を見つけるための方法を提供する。方法は、アイドル状態のＵＥがアクセスネットワークデバイスからページングメッセージを受信することを含む。ページングメッセージは読み出し命令情報を含み、読み出し命令情報は、セル内のＵＥにシステムメッセージを読み出すように指示するために使用される。アイドル状態のＵＥは、読み出し命令情報に応じてシステムメッセージを受信し、システムメッセージ内のセルロケーション識別子を読み出す。システムメッセージ内のセルロケーション識別子はプリセットロケーション識別子である。アイドル状態のＵＥは、プリセットロケーション識別子に応じてロケーション更新処理を開始し、その結果アクセスネットワークデバイスは、アイドル状態のＵＥにより開始されたロケーション更新処理に応じてアイドル状態のＵＥの位置を見つける。
【００１１】
本発明の第３の態様は、アクセスネットワークデバイスを提供する。アクセスネットワークデバイスは、送信モジュールおよび位置特定モジュールを含む。送信モジュールは、ページングメッセージをセル内のＵＥに送信するように構成される。ページングメッセージは読み出し命令情報を含み、読み出し命令情報は、セル内のＵＥにシステムメッセージを読み出すように指示するために使用される。送信モジュールはさらに、システムメッセージをセル内のＵＥに送信するように構成される。システムメッセージ内のセルロケーション識別子はプリセットロケーション識別子であり、プリセットロケーション識別子は、ロケーション更新処理を実行するためにセル内のＵＥをトリガーするために使用される。位置特定モジュールは、セル内のアイドル状態のＵＥによって開始されるロケーション更新処理に応じて、セル内のアイドル状態のＵＥの位置を見つけるように構成される。
【００１２】
本発明の第３の態様の可能な実装において、位置特定モジュールは、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定したときに、アイドル状態のＵＥの一時的モバイル加入者アイデンティティを取得するように構成される。
【００１３】
任意選択で、アクセスネットワークデバイスはさらに、ロケーション更新モジュールを含む。ロケーション更新モジュールは、位置特定モジュールがアイドル状態のＵＥの一時的モバイル加入者アイデンティティを取得した後に、アイドル状態のＵＥのロケーション更新動作を拒否するように構成される。
【００１４】
任意選択で、アクセスネットワークデバイスはさらに、更新モジュールを含む。更新モジュールは、システムメッセージ内のセルロケーション識別子をプリセットロケーション識別子に更新するように構成される。プリセットロケーション識別子は、システムにおいて予約されるロケーション識別子である。
【００１５】
任意選択で、システムメッセージはさらに、システムメッセージ変更識別子を含む。システムメッセージ変更識別子は、システムメッセージ内のセルロケーション識別子が更新されることを確認するために使用される。それに相応して、アクセスネットワークデバイスはさらに、更新モジュールを含む。更新モジュールは、システムメッセージ内のセルロケーション識別子をプリセットロケーション識別子に更新し、システムメッセージ変更識別子を更新するように構成される。
【００１６】
任意選択で、読み出し命令情報は、ＢＣＣＨ修正情報である。
【００１７】
本発明の第４の態様は、ＵＥを提供する。ＵＥは、受信モジュールおよび位置特定モジュールを含む。受信モジュールは、アクセスネットワークデバイスからページングメッセージを受信するように構成される。ページングメッセージは読み出し命令情報を含み、読み出し命令情報は、セル内のＵＥにシステムメッセージを読み出すように指示するために使用される。受信モジュールはさらに、読み出し命令情報に応じてシステムメッセージを受信するように構成される。ロケーション更新モジュールは、システムメッセージ内のセルロケーション識別子を読み出し、システムメッセージ内のセルロケーション識別子はプリセットロケーション識別子であり、プリセットロケーション識別子に応じてロケーション更新処理を開始するように構成される。
【００１８】
本発明の実施形態において提供されるアイドル状態のユーザ機器の位置を見つけるための方法および装置によると、アクセスネットワークデバイスは、システムメッセージ内のセルロケーション識別子をプリセットロケーション識別子に更新し、ページングメッセージを用いて、セル内のアイドル状態のＵＥにシステムメッセージが変更されることを通知して、システムメッセージを読み出しかつセルロケーション識別子が更新されることを知るためにアイドル状態のＵＥをトリガーするようにする。したがって、アイドル状態のＵＥは、ロケーション更新処理を開始するためにトリガーされる。アクセスネットワークデバイスは、セル内のアイドル状態のＵＥによって開始されるロケーション更新処理に応じてセル内のアイドル状態のＵＥの位置を見つけ、それによりアイドル状態のＵＥの位置を見つける。
【図面の簡単な説明】
【００１９】
本発明の実施形態における技術的解決策をより明確に説明するために、以下、実施形態を説明するために必要な添付図面を簡単に説明する。明らかに、以下の説明における添付図面は、本発明のいくつかの実施形態を示しており、当業者は創造的な努力なしにこれらの添付図面から他の図面をなお導出し得る。
【図１】図１は本発明の実施形態１によるアイドル状態のユーザ機器の位置を見つけるための方法のフローチャートである。
【図２】図２は本発明の実施形態２によるアイドル状態のユーザ機器の位置を見つけるための方法のフローチャートである。
【図３】図３は本発明の実施形態３によるアクセスネットワークデバイスの概略構成図である。
【図４】図４は本発明の実施形態４によるＵＥの概略構成図である。
【図５】図５は本発明の実施形態５によるアクセスネットワークデバイスの概略構成図である。
【図６】図６は本発明の実施形態６によるＵＥの概略構成図である。
【発明を実施するための形態】
【００２０】
本発明の実施形態の目的、技術的解決策、および利点をより明確にするために、以下、本発明の実施形態における技術的解決策を本発明の実施形態における添付図面を参照して明確に説明する。明らかに、説明される実施形態は、本発明の実施形態の一部ではあるがすべてではない。創造的な努力をせずに本発明の実施形態に基づいて当業者によって得られる他のすべての実施形態は、本発明の保護範囲に入るべきである。
【００２１】
本発明の実施形態において使用されるアクセスネットワークデバイスは、移動通信のためのグローバルシステム（ＧＳＭ）あるいは符号分割多重アクセス（ＣＤＭＡ）におけるベーストランシーバ基地局（ＢＴＳ）、広帯域符号分割多重アクセス（ＷＣＤＭＡ）におけるＮｏｄｅＢ（ＮＢ）、進化型ＮｏｄｅＢ（ｅＮＢ）、ＬＴＥネットワークにおけるアクセスポイント（ＡＰ）あるいは中継ノード、または次世代ネットワーク（すなわち、５Ｇネットワーク）における基地局であり得る。これは、本明細書では限定されない。
【００２２】
さらに、本発明の実施形態において使用されるユーザ機器は、無線端末であってもよい。無線端末は、ユーザに音声および／またはデータ接続性を提供するデバイス、無線接続機能を備えたハンドヘルドデバイス、または無線モデムに接続された別の処理装置であってもよい。無線端末は、無線アクセスネットワーク（ＲＡＮ）を使うことにより少なくとも１つのコアネットワークと通信し得る。無線端末は、携帯電話（または「セル」フォーンとも呼ばれる）などの移動端末、または移動端末を有するコンピュータであってもよい。例えば、ユーザ機器は、音声および／またはデータを無線アクセスネットワークと交換する携帯型、ポケットサイズ型、ハンドヘルド型、コンピュータ内蔵型、または車両搭載型のモバイル装置としてもよい。無線端末はまた、加入者ユニット、加入者局、移動局、移動局、リモート局、アクセスポイント、リモート端末、アクセス端末、ユーザ端末、ユーザエージェント、またはユーザ機器と呼ばれることもある。これは、本明細書では限定されない。
【００２３】
図１は、本発明の実施形態１によるアイドル状態のユーザ機器の位置を見つけるための方法のフローチャートである。図１に示すように、この実施例態の方法は、以下のステップを含んでもよい。
【００２４】
ステップ１０１：アクセスネットワークデバイスは、ページングメッセージをセル内のＵＥに送信し、ページングメッセージは読み出し命令情報を含み、読み出し命令情報は、セル内のＵＥにシステムメッセージを読み出すように指示するために使用される。
【００２５】
この実施形態において、アクセスネットワークデバイスによってページングメッセージを送信する目的は、セル内のすべてのＵＥ（接続状態のＵＥおよびアイドル状態のＵＥを含む）に、システムメッセージが変更されることを通知することである。アクセスネットワークデバイスによりページングされるオブジェクトは、セル内のすべてのＵＥである。アイドル状態のＵＥはページングされる必要があるため、ページングメッセージのタイプはページングタイプ１である。ページングタイプ１は、アイドル状態、ＣＥＬＬ＿ＰＣＨ状態、またはＵＲＡ＿ＰＣＨ状態にあるＵＥに対するページングに適用可能である。すなわち、ページングタイプ１は、無線リンクを設定しないＵＥに対するページングに適用可能である。ページングメッセージを送信する前に、アクセスネットワークデバイスは、セル内の接続状態のＵＥの識別情報のみを取得することができ、セル内のアイドル状態のＵＥの識別情報を取得することができない。したがって、ページングメッセージをセル内のＵＥに送信する際に、アクセスネットワークデバイスは、セル内のＵＥ間を区別しない。すなわち、アクセスネットワークデバイスは、特定のＵＥにのみにページングメッセージを送信せず、ページングメッセージはページングされるＵＥの識別情報を含まない。
【００２６】
この実施形態では、アクセスネットワークデバイスは、読み出し命令情報をページングメッセージに追加する。読み出し命令情報はセル内のすべてのＵＥにシステムメッセージを読み出すように指示するために使用される。読み出し命令情報は、システム内の既存のブロードキャスト制御チャネル（ＢＣＣＨ）修正情報としてよいし、または本発明において新たに定義される命令情報としてよい。ＢＣＣＣＨ修正ｉｎｆｏは、一例として使用される。アクセスネットワークデバイスがＢＣＣＣＨ修正ｉｎｆｏをページングメッセージに追加した場合、セル内のアイドル状態、ＣＥＬＬ＿ＰＣＨ（ＵＭＴＳ）状態、またはＵＲＡ＿ＰＣＨ（ＵＭＴＳ）状態にある任意のＵＥがシステムメッセージを再度読み出す。
【００２７】
ＵＭＴＳネットワーク、ＬＴＥネットワークなどのページングチャネルは、多くのページングビットを有する。ページングビットは、ページングを示すために使用されるビットである。各ＵＥは、自身の特定ページングビットを有する。ＵＥは、ＵＥのＩＭＳＩによりページングチャネルにおける自身のページングビットを計算してもよく、次に、ＵＥは、ページングビットが１に設定されたか否かを知るために自身のページングビットを監視する。ＵＥが監視により自身のページングビットが「１」に設定されることを知った場合、ＵＥは、ＵＥ自体がページングされていると判定する。この実施形態では、ネットワーク側はアイドル状態のＵＥに関する情報をしらない。すなわち、ネットワーク側は、どのＵＥがページングされる必要があるかを知らない。したがって、アクセスネットワークデバイスは、ページングチャネルでのすべてのページングビットを１に設定し、セル内のすべてのＵＥをページングするようにする。
【００２８】
ステップ１０２：アイドル状態のＵＥは、アクセスネットワークデバイスによって送信されたページングメッセージを受信する。
【００２９】
アイドル状態のＵＥおよびセル内の接続状態のＵＥの両方は、アクセスネットワークデバイスによって送信されたページングメッセージを受信し、ページングメッセージに含まれる読み出し命令情報に応じてシステムメッセージを読み出す準備をする。
【００３０】
ステップ１０３：アクセスネットワークデバイスは、システムメッセージを送信し、システムメッセージ内のセルロケーション識別子はプリセットロケーション識別子であり、プリセットロケーション識別子は、ロケーション更新処理を実行するためにセル内のＵＥをトリガーするために使用される。
【００３１】
アクセスネットワークデバイスは、セル内のＵＥにネットワークアクセス層および非アクセス層を通知するために、セル内にシステムメッセージをブロードキャストし、それにより、ＵＥは、発呼を開始する前にネットワークの構成状態を知る。システムメッセージは通常、周期的にブロードキャストされる。ＵＥは、セルにアクセスする前にシステムメッセージを読み出す。ＵＥがセルにアクセスした後、一般に、ＵＥはシステムメッセージを積極的に読み出さない。したがって、この実施形態において、アクセスネットワークデバイスは、システムメッセージを積極的に読み出すために、ページングメッセージを送信することにより、セル内のＵＥをトリガーする。
【００３２】
この実施形態では、システムメッセージを送信する前に、アクセスネットワークデバイスはシステムメッセージを修正する。システムメッセージは、１つのマスター情報ブロック（ＭＩＢ）および複数のシステム情報ブロック（ＳＩＢ）を含む。ＭＩＢは、セルの基本的物理層情報を含む。ＳＩＢ１は、セル選択に関する情報およびほかのＳＩＢのスケジュール情報を含む。ほかのＳＩＢのコンテンツは本明細書では説明されない。本実施形態では、アクセスネットワークデバイスは、システムメッセージ内のＳＩＢ１のセルロケーション識別子をプリセットロケーション識別子に更新する。プリセットロケーション識別子は、ロケーション更新処理を実行するためにＵＥをトリガーするために使用される。ＵＥは、一旦プリセットロケーション識別子を読み出すとロケーション更新処理を実行する。プリセットロケーション識別子は、システムにおいて予約されるロケーション識別子であってもよい。予約されたロケーション識別子は、特別な使用用であり、予約されたロケーション識別子は、通常のページングにおいては使用されない。あるいは、プリセットロケーション識別子は、本発明において新たに定義されるロケーション識別子であってもよい。
【００３３】
この実施形態では、システムメッセージ内のセルロケーション識別子は、アイドル状態のＵＥをトリガーしてロケーション更新処理を実行するためにプリセットロケーション識別子に更新されて、アクセスネットワークデバイスはロケーション更新処理に応じてアイドル状態のＵＥの位置を見つけることができるようになる。実際、ＵＥの位置は変更されない。一般に、ＵＥの位置が変更されない場合、ＵＥによって保存されるセルロケーション識別子およびシステムメッセージ内のセルロケーション識別子は同一であり、ＵＥはロケーション更新処理を行わない。
【００３４】
この実施形態において、アクセスネットワークデバイスによってアイドル状態のＵＥの位置を見つけることは、アクセスネットワークデバイスは、ＵＥが、アクセスネットワークデバイスが位置するセル内にあるか否かを検知することであり、ＵＥの特定の位置を検知することではないことに留意されたい。
【００３５】
ＬＴＥシステムにおいて、セルロケーション識別子は、トラッキングエリアコード（ＴＡＣ）であり、プリセットロケーション識別子は、システムにおいて予約されるＴＡＣとしてよい。ＴＡＣは、トラッキングエリアを識別するために使用される。１つのトラッキングエリアは１つまたは複数のセルをカバーし得る。トラッキングエリアは、ページングおよびロケーション更新のために使用される領域である。
【００３６】
ＵＭＴＳにおいて、セルロケーション識別子は、ロケーションエリアコード（ＬＡＣ）であり、プリセットロケーション識別子は、システムにおいて予約されるＬＡＣであってもよい。ＬＡＣは、我が国のデジタルパブリックランドモバイルネットワーク（ＰＬＭＮ）において各ロケーションエリアを一意的に識別することができる。ＬＡＣは、２バイト１６進数の２進化１０進数（ＢＣＤ）コードであり、Ｌ１Ｌ２Ｌ３Ｌ４（範囲は、００００からＦＦＦＦまであり、６５５３６の異なるエリアロケーションが定義可能である）として表現される。ＬＡＣは、各セルのブロードキャストチャネル上のシステムメッセージにおいて送信される。移動局が電源投入され、加入者アイデンティティモジュール（ＳＩＭ）カードが挿入され、または現在のセルのＬＡＣが移動局の当初保存されたコンテンツと異なるときは、移動局は、インターナショナルモバイル加入者アイデンティティモジュール（ＩＭＳＩ）アタッチ（ＩＭＳＩ Ａｔｔａｃｈ）またはロケーション更新処理を使うことにより、その現在のロケーションエリアをネットワークに公示する。ネットワークは、各ＵＥのロケーションエリアを格納し、ロケーションエリアを、将来ＵＥをページングするためのロケーション情報として使用する。
【００３７】
任意選択で、システムメッセージは、システムメッセージ変更識別子をさらに含む。システムメッセージ変更識別子は、システムメッセージ内のセルロケーション識別子が更新されることを確認するために使用される。システムメッセージを受信するときに、ＵＥは、まず、システムメッセージ変更識別子を読み出し、次にシステムメッセージ変更識別子に応じて、システムメッセージが更新されるか否かを判定する。システムメッセージが更新された場合、ＵＥはさらにシステムメッセージ内の各ＳＩＢのコンテンツを読み出す。システムメッセージが更新されない場合、ＵＥは、システムメッセージ内の各ＳＩＢのコンテンツを読み出さない。
【００３８】
任意選択で、システムメッセージ変更識別子は、ＳＩＢ１内のシステム情報値タグ（ｓｙｓｔｅｍＩｎｆｏＶａｌｕｅＴａｇ）とすることがある。ｓｙｓｔｅｍＩｎｆｏＶａｌｕｅＴａｇの値は、０〜３１の範囲である。ｓｙｓｔｅｍＩｎｆｏＶａｌｕｅＴａｇの値は、システムメッセージが更新される度に１つずつ増加される。システムメッセージを受信した後に、ＵＥは、ＳＩＢ１からのｓｙｓｔｅｍＩｎｆｏＶａｌｕｅＴａｇを読み出し、システムメッセージ内のｓｙｓｔｅｍＩｎｆｏＶａｌｕｅＴａｇの値とＵＥによって格納されたｓｙｓｔｅｍＩｎｆｏＶａｌｕｅＴａｇの値とを比較する。システムメッセージ内のｓｙｓｔｅｍＩｎｆｏＶａｌｕｅＴａｇの値がＵＥによって格納されたｓｙｓｔｅｍＩｎｆｏＶａｌｕｅＴａｇの値と異なる場合、それはシステムメッセージが変更されることを示し、ＵＥは、他のＳＩＢのコンテンツを再度読み出す必要がある。システムメッセージ内のｓｙｓｔｅｍＩｎｆｏＶａｌｕｅＴａｇの値とＵＥによって格納されたｓｙｓｔｅｍＩｎｆｏＶａｌｕｅＴａｇの値とが同じ場合、それはシステムメッセージが変更されないことを示し、ＵＥは、他のＳＩＢのコンテンツを読み出す必要がない。もちろん、システムメッセージ変更識別子はまた、本発明において新たに定義される識別子であってもよい。
【００３９】
ステップ１０４：アイドル状態のＵＥは、読み出し命令情報に応じてシステムメッセージを受信し、システムメッセージ内のセルロケーション識別子を読み出し、システムメッセージ内のセルロケーション識別子はプリセットロケーション識別子である。
【００４０】
ステップ１０５：アイドル状態のＵＥは、前記プリセットロケーション識別子に応じてロケーション更新処理を開始する。
【００４１】
システムメッセージを受信した後に、アイドル状態のＵＥが、システムメッセージに含まれるセルロケーション識別子がプリセットロケーション識別子に更新されることを知った場合に、ＵＥはロケーション更新処理を開始する。システムメッセージを受信した後に、接続状態のＵＥが、システムメッセージに含まれるセルロケーション識別子がプリセットロケーション識別子に更新されることを知った場合に、接続状態のＵＥはロケーション更新処理を開始してもよいし、またはロケーション更新処理を開始しないようにしてもよい。
【００４２】
ステップ１０６：アクセスネットワークデバイスは、セル内のアイドル状態のＵＥによって開始されるロケーション更新処理に応じて、セル内のアイドル状態のＵＥの位置を見つける。
【００４３】
アイドル状態のＵＥがロケーション更新処理を開始した後に、アクセスネットワークデバイスは、アイドル状態のＵＥによって開始されるロケーション更新処理を検知し、アイドル状態のＵＥによって開始されるロケーション更新処理に応じて、アイドル状態のＵＥの一時的モバイル加入者アイデンティティ（ＴＭＳＩ）を取得し、さらにどのＵＥがロケーション更新処理を開始するかを判定し、それによりアイドル状態のＵＥの存在を検知する。アクセスネットワークデバイスはさらに、アイドル状態のＵＥによって開始されたロケーション更新処理に応じて、アイドル状態のＵＥの受信信号強度などを取得してもよい。アイドル状態のＵＥのＴＭＳＩを取得した後に、アクセスネットワークデバイスはさらに、アイドル状態のＵＥが更新することを要求するセルロケーション識別子がプリセットロケーション識別子であるか否かを判定する。アイドル状態のＵＥが更新することを要求するセルロケーション識別子がプリセットロケーション識別子であると判定したときに、アクセスネットワークデバイスは、アイドル状態のＵＥのロケーション更新動作を拒否し得る。アクセスネットワークデバイスがアイドル状態のＵＥのロケーション更新動作を拒否するため、アイドル状態のＵＥのロケーションは更新されない。プリセットロケーション識別子は、アイドル状態のＵＥのトラッキングエリアリストに追加されない。アイドル状態のＵＥがその後ページングするときに、プリセットロケーション識別子は、アイドル状態のトラッキングエリアリストに存在せず、アクセスネットワークデバイスは、プリセットロケーション識別子に応じて、ＵＥをページングしない。プリセットロケーション識別子はセルのロケーション識別子ではないので、プリセットロケーション識別子に応じてアイドル状態のＵＥをページングする際に、アクセスネットワークデバイスはアイドル状態のＵＥをページングすることができない。これはページングのリソース浪費を招くことがある。この実施形態では、ロケーション更新動作を拒否することが、無効なページングにより引き起こされるその後のページングリソース浪費の問題を回避する。
【００４４】
任意選択で、アクセスネットワークデバイスが、アイドル状態のＵＥが更新することを要求するセルロケーション識別子がプリセットロケーション識別子であると判定したときに、アクセスネットワークデバイスは、ロケーション更新処理を行い続けることがあり、アクセスネットワークデバイスは、プリセットロケーション識別子をアイドル状態のＵＥのトラッキングエリアリストに追加する。この態様は、ＵＥに対する通常のページングに影響を及ぼさないが、ページングリソース浪費を引き起こし得る。
【００４５】
この実施形態では、接続状態のＵＥはまた、アイドル状態のＵＥの方法と同様の方法を用いてロケーション更新処理を開始した場合に、アクセスネットワークデバイスは、接続状態のＵＥのロケーション更新処理を拒否し得る、または通常のロケーション更新処理を行い得る。
【００４６】
この実施形態では、ロケーション更新処理において、アクセスネットワークデバイスは、アイドル状態のＵＥのＴＭＳＩ、受信信号強度などを取得することによりアイドル状態のＵＥの存在を検知する、すなわち、アイドル状態のＵＥが、アクセスネットワークデバイスがページングを行うセル内に位置することを検知する。アイドル状態のＵＥの位置を見つけた後に、アクセスネットワークデバイスは、ＵＥについての情報をサービスアンカー（ＳＶＡ）に送信し得る。ＳＶＡは、アイドル状態のＵＥについての情報に応じて、下記の動作を実行する。
（１）セル内のユーザの数量の計数：具体的なインドアまたはアウトドア領域において、セルによってカバーされるすべてのユーザは数えられる必要がある。既存の方法を使用することにより、接続状態のＵＥのみが見つけられることができ、アイドル状態のＵＥは、見つけることができない。結果的に、セル内のユーザの数量は正確に数えられることができない。本発明のこの実施形態の方法を使用することにより、基地局は、アイドル状態のＵＥの位置を見つけることができ、ＳＶＡは、セル内のユーザの数量（アイドル状態のＵＥおよび接続状態のＵＥを含む）を正確に数えることができる。
（２）制限領域内への侵入者についての警告：携帯電話を保持するユーザが特定の制限領域内に侵入し、携帯電話がアイドル状態であるときに、アイドル状態の携帯電話の存在は、既存の方法を使用することにより感知されることができない。この実施形態の方法を使用することにより、基地局は、アイドル状態のＵＥの存在を検知してＳＶＡに報告することができ、その結果ＳＶＡは、警告情報をアイドル状態のＵＥに送信する。
（３）エネルギーの節約：基地局は、インドアの対象施設のシャットダウンを容易にし、電力の節約という目的を達成するために、セル内にユーザがいるか否かを判定する必要がある。従来技術においては、セル内に接続状態のＵＥが存在せずかつアイドル状態のＵＥのみが存在する場合、基地局はアイドル状態のＵＥを検知することができないため、基地局は、セル内にユーザがまったくいないとみなし、次にインドアの対象施設をシャットダウンする。アイドル状態のＵＥがその後通信を要求する場合、基地局がインドアの対象施設をシャットダウンするため、ＵＥは通信を行うことができない。結果的に、ユーザの通常使用が影響を受ける。本発明のこの実施形態の方法を使用することにより、基地局は、アイドル状態のＵＥの存在を検知してＳＶＡに報告することができ、その結果ＳＶＡは、インドアの対象施設をシャットダウンするか否かを判定する。
【００４７】
この実施形態では、アクセスネットワークデバイスは、システムメッセージ内のセルロケーション識別子をプリセットロケーション識別子に更新し、ページングメッセージを使用することにより、セル内のＵＥにシステムメッセージが変更されることを通知し、システムメッセージを読み出してセルロケーション識別子が更新されることを知るために、ＵＥをトリガーするようにする。したがって、アイドル状態のＵＥは、ロケーション更新処理を開始するためにトリガーされる。アクセスネットワークデバイスは、セル内のアイドル状態のＵＥによって開始されるロケーション更新処理に応じて、セル内のアイドル状態のＵＥの位置を見つけ、それによりアイドル状態のＵＥの位置を見つける。
【００４８】
図２は、本発明の実施形態２によるアイドル状態のユーザ機器の位置を見つけるための方法のフローチャートである。図２に示すように、この実施形態の方法は、以下のステップを含むようにしてもよい。
【００４９】
ステップ２０１：アクセスネットワークデバイスは、ページングメッセージをセル内のアイドル状態のＵＥに別々に送信し、ページングメッセージはページングされることになるアイドル状態のＵＥの加入者アイデンティティを含む。
【００５０】
ステップ２０２：アイドル状態のＵＥは、ページングメッセージを受信する。
【００５１】
ステップ２０３：アイドル状態のＵＥは、ページングメッセージに応じて、ＲＲＣ接続セットアップ要求をアクセスネットワークデバイスに送信する。
【００５２】
ステップ２０４：アクセスネットワークデバイスは、ＲＲＣ接続セットアップ要求を拒否し、ＲＲＣ接続セットアップ要求に応じてアイドル状態のＵＥの位置を見つける。
【００５３】
この実施形態の前提は、アクセスネットワークデバイスがページングされることになるアイドル状態のＵＥの加入者アイデンティティを取得する必要があることである。加入者アイデンティティは、アイドル状態のＵＥのＩＭＳＩまたはＴＭＳＩであってもよい。アクセスネットワークデバイスは、接続状態からアイドル状態に切り替えられるＵＥの加入者アイデンティティのみを取得し得る。セルに移動するがセルにアクセスしないＵＥについて、アクセスネットワークデバイスは、ＵＥの加入者アイデンティティを取得することができず、ＵＥに対するページングを開始することができない。
【００５４】
既存の機構において、セル内のＵＥが接続状態からアイドル状態に切り替えられるときに、ＭＭＥは、ＵＥについての情報を直ちに削除しないが、ある期間、ＵＥについての情報を保存する。したがって、アクセスネットワークデバイスは、ＭＭＥから、セル内のアイドル状態のＵＥの加入者アイデンティティを取得し得る。アイドル状態のＵＥは、依然としてセルにキャンプオンしてもよいし、またはセルを退出してもよい。
【００５５】
セルを退出したアイドル状態のＵＥについて、アクセスネットワークデバイスがページングメッセージを送信した後に、アイドル状態のＵＥは、ページングメッセージを受信できず、その後のＲＲＣ接続セットアップ処理をトリガーすることができない。
【００５６】
セルにまだキャンプオンするアイドル状態のＵＥについて、アクセスネットワークデバイスがページングメッセージをアイドル状態のＵＥに送信した後に、アイドル状態のＵＥは、ページングメッセージを受信し、ページングメッセージ内で運ばれる加入者アイデンティティに応じて、アイドル状態のＵＥ自身がページングされていると判定し、通常のアクセス処理に入る。すなわち、アイドル状態のＵＥは、ＲＲＣ接続セットアップ処理を開始する。アイドル状態のＵＥについて、アクセスネットワークデバイスは、この時点で、アイドル状態のＵＥにダウンリンクデータを送信する必要がないため、アイドル状態のＵＥに対してＲＲＣ接続がセットアップされた場合に、無線リソース浪費が引き起こされる。したがって、アクセスネットワークデバイスは、無線リソース浪費を回避するように、アイドル状態のＵＥによって開始されるＲＲＣ接続セットアップ処理を拒否し得る。
【００５７】
セルに移動するがセルにアクセスしないアイドル状態のＵＥについて、アイドル状態のＵＥは一度もセルにアクセスしなかったため、アクセスネットワークデバイスは、アイドル状態のＵＥの加入者アイデンティティを取得することができず、アイドル状態のＵＥをページングすることができない。
【００５８】
図３は、本発明の実施形態３によるアクセスネットワークデバイスの概略構成図である。図３に示すように、この実施形態において提供されるアクセスネットワークデバイスは、送信モジュール１１および位置特定モジュール１２を含む。
【００５９】
送信モジュール１１は、ページングメッセージをセル内のＵＥに送信するように構成され、ページングメッセージは読み出し命令情報を含み、読み出し命令情報は、セル内のＵＥにシステムメッセージを読み出すように指示するために使用される。送信モジュール１１はさらに、システムメッセージをセル内のＵＥに送信するように構成され、システムメッセージ内のセルロケーション識別子はプリセットロケーション識別子であり、プリセットロケーション識別子は、ロケーション更新処理を実行するためにセル内のＵＥをトリガーするために使用される。
【００６０】
位置特定モジュール１２は、セル内のアイドル状態のＵＥによって開始されるロケーション更新処理に応じて、セル内のアイドル状態のＵＥの位置を見つけるように構成される。
【００６１】
任意選択で、読み出し命令情報は、ＢＣＣＨ修正情報である。
【００６２】
任意選択で、アクセスネットワークデバイスはさらに、更新モジュールを含む。更新モジュールは、システムメッセージ内のセルロケーション識別子をプリセットロケーション識別子に更新するように構成される。
【００６３】
任意選択で、システムメッセージはさらに、システムメッセージ変更識別子を含む。システムメッセージ変更識別子は、システムメッセージ内のセルロケーション識別子が更新されることを確認するために使用される。それに相応して、更新モジュールはさらに、システムメッセージ内のシステムメッセージ変更識別子を更新するように構成される。任意選択で、システムメッセージ変更識別子は、ＳＩＢ１内のシステム情報値タグである。
【００６４】
任意選択で、プリセットロケーション識別子は、システムにおいて予約されるロケーション識別子である。
【００６５】
任意選択で、位置特定モジュール１２は、アイドル状態のＵＥによって開始されるロケーション更新処理に応じて、アイドル状態のＵＥが更新することを要求するセルロケーション識別子がプリセットロケーション識別子か否かを判定し、アイドル状態のＵＥが更新することを要求するセルロケーション識別子がプリセットロケーション識別子であると判定するときに、アイドル状態のＵＥの一時的モバイル加入者アイデンティティを取得するように構成される。
【００６６】
任意選択で、アクセスネットワークデバイスはさらに、ロケーション更新モジュールを含む。ロケーション更新モジュールは、アイドル状態のＵＥのロケーション更新動作を拒否するように構成される。
【００６７】
この実施形態におけるアクセスネットワークデバイスによると、アクセスネットワークデバイスの機能モジュールは、実施形態１における方法を実施するように構成し得る。具体的な実装および技術的効果は、実施形態１における方法のものと同様であり、詳細はここでは再度説明されない。
【００６８】
図４は、本発明の実施形態４によるＵＥの概略構成図である。図４に示すように、この実施形態において提供されるＵＥは、受信モジュール２１およびロケーション更新モジュール２２を含む。
【００６９】
受信モジュール２１は、アクセスネットワークデバイスからページングメッセージを受信するように構成され、ページングメッセージは読み出し命令情報を含み、読み出し命令情報は、セル内のＵＥにシステムメッセージを読み出すように指示するために使用される。受信モジュール２１はさらに、読み出し命令情報に応じてシステムメッセージを受信するように構成される。
【００７０】
ロケーション更新モジュール２２は、システムメッセージ内のセルロケーション識別子を読み出し、システムメッセージ内のセルロケーション識別子はプリセットロケーション識別子であり、プリセットロケーション識別子に応じてロケーション更新処理を開始するように構成される。
【００７１】
任意選択で、プリセットロケーション識別子は、システムにおいて予約されるロケーション識別子である。読み出し命令情報は、ＢＣＣＨ修正情報である。
【００７２】
任意選択で、システムメッセージはさらに、システムメッセージ変更識別子を含む。システムメッセージ変更識別子は、システムメッセージ内のセルロケーション識別子が更新されることを確認するために使用される。任意選択で、システムメッセージ変更識別子は、ＳＩＢ１内のシステム情報値タグである。
【００７３】
この実施形態におけるＵＥによると、ＵＥの機能モジュールは、実施形態１における方法を実施するように構成し得る。具体的な実装および技術的効果は、実施形態１における方法のものと同様であり、詳細はここでは再度説明されない。
【００７４】
図５は、本発明の実施形態５によるアクセスネットワークデバイスの概略構成図である。図５に示すように、この実施形態において提供されるアクセスネットワークデバイスは、プロセッサ３１、メモリ３２、およびトランシーバ３３を含む。メモリ３２およびトランシーバ３３は、バスを用いてプロセッサ３１と接続しかつ通信し得る。メモリ３２は、コンピュータプログラムを格納するように構成される。トランシーバ３３は、データを受信および送信するように構成される。プロセッサ３１は、メモリ３２に格納されたプログラムを実行し、データを処理するように構成される。この実施形態におけるアクセスネットワークデバイスは、上記実施形態１の方法を実施するように構成され得る。
【００７５】
図６は、本発明の実施形態６によるＵＥの概略構成図である。図６に示すように、この実施形態において提供されるＵＥは、プロセッサ４１、メモリ４２、およびトランシーバ４３を含む。メモリ４２およびトランシーバ４３は、バスを用いてプロセッサ４１と接続しかつ通信し得る。メモリ４２は、コンピュータプログラムを格納するように構成される。トランシーバ４３は、データを受信および送信するように構成される。プロセッサ４１は、メモリ４２に格納されたプログラムを実行し、データを処理するように構成される。この実施形態におけるＵＥは、上記実施形態１の方法を実施するように構成され得る。
【００７６】
図５および図６に示される実施形態において、プロセッサは、一般的な中央処理装置、特定用途向け集積回路（ＡＳＩＣ）、プログラム実行を制御するために使用される１つまたは複数の集積回路、フィールドプログラマブルゲートアレイ（ＦＰＧＡ）を使用して開発されるハードウェア回路、またはベースバンドプロセッサであってもよい。メモリは、読み出し専用メモリ（ＲＯＭ）、ランダムアクセスメモリ（ＲＡＭ）、または磁気ディスクストレージのうちの１つまたは複数を含み得る。メモリは、データ、および／またはプロセッサを実行させるために必要な命令を格納するように構成される。１つまたは複数のメモリがあってもよい。
【００７７】
当業者は、方法の実施形態のステップのすべてまたは一部が、関連するハードウェアを指示するプログラムによって実施されてもよいことを理解し得る。前述のプログラムは、コンピュータ可読記憶媒体に格納されてもよい。プログラムが実行されると、方法の実施形態のステップが実行される。前述の記憶媒体は、ＲＯＭ、ＲＡＭ、磁気ディスク、または光ディスクなどの、プログラムコードを格納可能な任意の媒体を含む。
【００７８】
最後に、上述の実施形態は単に、本発明の技術的解決策を説明するために意図されたものに過ぎず、本発明を限定するものではないことに留意されたい。本発明は、上述の実施形態を参照して詳細に説明されているが、当業者は、本発明の実施形態の技術的解決策の範囲から逸脱することなく、上述の実施形態に記載された技術的解決策を依然として変更してもよいし、またはその技術的特徴の一部またはすべてを等価なものに置き換え得ることを理解すべきである。
【国際調査報告】
2019508970.tif 000009
2019508970.tif 000010
2019508970.tif 000011
2019508970.tif 000012